(57)【特許請求の範囲】
【請求項１】
無線通信装置と前記無線通信装置の接続対象となる基地局との無線通信における干渉の度合いを示す干渉指標であって、前記無線通信装置の通信状態を検出するための対象エリアの位置または当該対象エリアに近接する位置に関連付けられている干渉指標を取得する取得部と、
前記取得された干渉指標と、前記接続対象となる基地局の混雑度を示す基地局混雑度とに基づいて、前記対象エリアにおける前記通信状態を通知するための通信状態情報を生成する生成部と
を具備する情報処理装置。
【請求項２】
前記情報処理装置は、前記無線通信装置であり、
前記接続対象となる基地局が発信するパイロット信号のレベルと、前記無線通信装置が信号を受信できる他の基地局が発信するパイロット信号のレベルの総和との比に基づいて前記干渉指標を生成する干渉指標生成部と、
前記生成された干渉指標を、当該干渉指標の生成に用いた前記パイロット信号の検出位置を示す位置情報に関連付けて保持する保持部とをさらに具備し、
前記取得部は、前記対象エリアの位置または当該対象エリアに近接する位置に係る位置情報と関連付けられている干渉指標を前記保持部から取得する
請求項１記載の情報処理装置。
【請求項３】
前記取得部は、前記干渉指標を保持するサーバから前記対象エリアの位置または当該対象エリアに近接する位置に関連付けられている干渉指標を取得する請求項１記載の情報処理装置。
【請求項４】
前記無線通信装置が存在した位置の履歴に基づいて当該無線通信装置の移動経路を予測する移動経路予測部をさらに具備し、
前記生成部は、前記予測された移動経路を前記対象エリアとして前記通信状態情報を生成する
請求項１記載の情報処理装置。
【請求項５】
前記無線通信装置が受信する受信信号のうちの前記無線通信装置の通信速度の増減に関わる信号の度合いを示す信号混雑度を生成する信号混雑度生成部と、
前記生成された信号混雑度と当該信号混雑度が生成された位置における干渉指標とに基づいて、前記接続対象となる基地局の混雑度を示す基地局混雑度を生成する基地局混雑度生成部とをさらに具備し、
前記生成部は、前記生成された基地局混雑度と前記取得された干渉指標とに基づいて前記対象エリアにおける信号混雑度を生成し、当該生成された対象エリアにおける信号混雑度から当該対象エリアにおける前記通信速度を予測して、当該予測された通信速度を前記通信状態情報として生成する
請求項１記載の情報処理装置。
【請求項６】
前記信号混雑度生成部は、前記受信信号と前記接続対象となる基地局に割り振られた符号との相関出力と、前記受信信号と前記無線通信装置が信号を受信できる他の基地局に割り振られた符号との相関出力のうちの最も相関が小さい基地局に係る相関出力との比に基づいて前記信号混雑度を生成し、
前記基地局混雑度生成部は、前記生成された信号混雑度と当該信号混雑度が生成された位置における干渉指標との関係に基づいて前記基地局混雑度を生成する
請求項５記載の情報処理装置。
【請求項７】
前記情報処理装置は、前記干渉指標を保持するサーバであり、
前記取得部は、前記無線通信装置から供給された位置に基づいて検出された前記対象エリアの位置または当該対象エリアに近接する位置に関連付けられている前記干渉指標を取得する請求項１記載の情報処理装置。
【請求項８】
前記無線通信装置から供給された位置を時系列で保持する位置情報保持部と、
前記保持された位置に基づいて前記無線通信装置の移動経路を予測する移動経路予測部とをさらに具備し、
前記生成部は、前記予測された移動経路を前記対象エリアとして前記通信状態情報を生成する
請求項７記載の情報処理装置。
【請求項９】
基地局の混雑度を示す基地局混雑度を保持する基地局混雑度保持部をさらに具備し、
前記生成部は、前記予測された移動経路における接続対象の基地局の基地局混雑度を前記基地局混雑度保持部から取得して、当該取得された基地局混雑度と前記対象エリアの干渉指標とに基づいて通信速度を予測し、当該予測された通信速度を前記通信状態情報として生成する
請求項８記載の情報処理装置。
【請求項１０】
前記取得部は、前記対象エリアの位置または当該対象エリアに近接する位置に関連付けられている前記干渉指標を複数の通信網ごとに取得し、
前記生成部は、前記取得された干渉指標に基づいて前記対象エリアにおける前記複数の通信網のそれぞれの通信状態を検出し、当該複数の通信網のうちの特定条件を満たす通信網を示す情報を前記通信状態情報として生成する
請求項７記載の情報処理装置。
【請求項１１】
前記生成部は、前記複数の通信網のうちの予測された通信速度が最も速い通信網を前記特定条件を満たす通信網として前記通信状態情報を生成する請求項１０記載の情報処理装置。
【請求項１２】
接続対象となる基地局の混雑度を示す基地局混雑度を取得する混雑度取得部と、
前記接続対象となる基地局との無線通信における干渉の度合いを示す干渉指標と、無線通信装置が受信する信号の強度を示す受信信号強度と、前記取得された基地局混雑度とに基づいて通信品質を検出する検出部と、
前記検出された通信品質をユーザに通知するための表示画像を生成する表示画像生成部と
を具備する無線通信装置。
【請求項１３】
前記表示画像生成部は、前記通信品質を特定標識の増減により表す前記表示画像を生成する請求項１２記載の無線通信装置。
【請求項１４】
受信する信号のうちの前記無線通信装置の通信速度の増減に関わる信号の度合いを示す信号混雑度を生成する信号混雑度生成部をさらに具備し、
前記混雑度取得部は、前記生成された信号混雑度と、当該信号混雑度が生成された位置における前記干渉指標とに基づいて、前記接続対象となる基地局の混雑度を示す基地局混雑度を取得する
請求項１２記載の無線通信装置。
【請求項１５】
無線通信装置の接続対象となる基地局との無線通信における干渉の度合いを示す干渉指標であって、前記無線通信装置の通信状態を検出するための対象エリアの位置または当該対象エリアに近接する位置に関連付けられている干渉指標を複数の通信網ごとに取得して、前記対象エリアにおける前記複数の通信網のそれぞれの通信状態を前記取得された干渉指標と、前記接続対象となる基地局の混雑度を示す基地局混雑度とに基づいて検出し、前記複数の通信網のうちの特定条件を満たす通信網を示す情報を通信状態情報として生成する情報処理装置と、
前記情報処理装置から送信された前記対象エリアにおける前記通信状態情報を取得する取得部と、前記取得された通信状態情報に基づいて前記特定条件を満たす通信網と接続するための制御を行う制御部とを備える無線通信装置と
を具備する通信システム。
【請求項１６】
無線通信装置と前記無線通信装置の接続対象となる基地局との無線通信における干渉の度合いを示す干渉指標であって、前記無線通信装置の通信状態を検出するための対象エリアの位置または当該対象エリアに近接する位置に関連付けられている干渉指標を供給する情報処理装置と、
前記供給された干渉指標と、前記接続対象となる基地局の混雑度を示す基地局混雑度とに基づいて、前記対象エリアにおける前記通信状態を通知するための通信状態情報を生成する無線通信装置と
を具備する通信システム。
【請求項１７】
情報処理装置が備える取得部が、無線通信装置と前記無線通信装置の接続対象となる基地局との無線通信における干渉の度合いを示す干渉指標であって、前記無線通信装置の通信状態を検出するための対象エリアの位置または当該対象エリアに近接する位置に関連付けられている干渉指標を取得する取得手順と、
前記情報処理装置が備える生成部が、前記取得された干渉指標と、前記接続対象となる基地局の混雑度を示す基地局混雑度とに基づいて、前記対象エリアにおける前記通信状態を通知するための通信状態情報を生成する生成手順と
を具備する通信状態検出方法。
【発明の詳細な説明】
【技術分野】
【０００１】
本技術は、情報処理装置に関する。詳しくは、ネットワークに接続する情報処理装置、これを備える通信システムおよび情報処理装置の通信状態検出方法に関する。
【背景技術】
【０００２】
従来、公衆無線網等のネットワークに接続する無線通信装置が広く普及している。また、２００２年からは、３Ｇ方式の携帯電話サービス（日本では、第３世代と呼ばれている）が開始された。この携帯電話サービスは、当初、音声、メール等の小容量のパケットが主なアプリケーションであった。しかし、ＨＳＤＰＡ（High Speed Downlink Packet Access）等の導入により、音楽ファイルのダウンロードや動画の視聴等のように比較的大きいサイズのパケットのダウンロードへとユーザの使用行動が変化しつつある。
【０００３】
また、特定のエリア（基地局）にユーザが集中し、容量の大きなパケットのダウンロードを行うことにより、局所的にトラフィックが集中することが想定される。この場合には、通信品質が良いにもかかわらず十分な通信レートが得られない等の問題が発生する。
【０００４】
そこで、例えば、無線通信装置が受信する無線信号に基づいて基地局の空き容量（混雑度）を検出することにより、時々刻々と変換する通信状態を把握する無線通信装置が提案されている（例えば、特許文献１参照。）。
【先行技術文献】
【特許文献】
【０００５】
【特許文献１】特開２０１１−１０２６７号公報
【発明の概要】
【発明が解決しようとする課題】
【０００６】
上述の従来技術では、基地局の空き容量（混雑度）から通信状態を把握することができる。しかしながら、混雑度以外の要因についても通信速度に影響を与えることが多いため、これらを考慮して適切な通信状態を把握することが重要である。
【０００７】
本技術はこのような状況に鑑みて生み出されたものであり、無線通信における適切な通信状態を把握することを目的とする。
【課題を解決するための手段】
【０００８】
本技術は、上述の問題点を解消するためになされたものであり、その第１の側面は、無線通信装置と上記無線通信装置の接続対象となる基地局との無線通信における干渉の度合いを示す干渉指標であって、上記無線通信装置の通信状態を検出するための対象エリアの位置または当該対象エリアに近接する位置に関連付けられている干渉指標を取得する取得部と、上記取得された干渉指標と、上記接続対象となる基地局の混雑度を示す基地局混雑度とに基づいて、上記対象エリアにおける上記通信状態を通知するための通信状態情報を生成する生成部とを具備する情報処理装置および通信状態検出方法ならびに当該方法をコンピュータに実行させるプログラムである。これにより、無線通信装置と基地局との無線通信における干渉の度合いを示す干渉指標と、接続対象となる基地局の混雑度を示す基地局混雑度とに基づいて、対象エリアにおける通信状態情報を生成させるという作用をもたらす。
【００１０】
また、この第１の側面において、上記情報処理装置は、上記無線通信装置であり、上記接続対象となる基地局が発信するパイロット信号のレベルと、上記無線通信装置が信号を受信できる他の基地局が発信するパイロット信号のレベルの総和との比に基づいて上記干渉指標を生成する干渉指標生成部と、上記生成された干渉指標を、当該干渉指標の生成に用いた上記パイロット信号の検出位置を示す位置情報に関連付けて保持する保持部とをさらに具備し、上記取得部は、上記対象エリアの位置または当該対象エリアに近接する位置に係る位置情報と関連付けられている干渉指標を上記保持部から取得するようにしてもよい。これにより、接続対象となる基地局が発信するパイロット信号のレベルと、無線通信装置が信号を受信できる他の基地局が発信するパイロット信号のレベルの総和との比に基づいて干渉指標が生成され、この生成された干渉指標を用いて通信状態情報が生成されるという作用をもたらす。
【００１１】
また、この第１の側面において、上記取得部は、上記干渉指標を保持するサーバから上記対象エリアの位置または当該対象エリアに近接する位置に関連付けられている干渉指標を取得するようにしてもよい。これにより、対象エリアの位置または当該対象エリアに近接する位置に関連付けられている干渉指標が取得されるという作用をもたらす。
【００１２】
また、この第１の側面において、上記無線通信装置が存在した位置の履歴に基づいて当該無線通信装置の移動経路を予測する移動経路予測部をさらに具備し、上記生成部は、上記予測された移動経路を上記対象エリアとして上記通信状態情報を生成するようにしてもよい。これにより、予測された移動経路の通信状態情報が生成されるという作用をもたらす。
【００１３】
また、この第１の側面において、上記無線通信装置が受信する受信信号のうちの上記無線通信装置の通信速度の増減に関わる信号の度合いを示す信号混雑度を生成する信号混雑度生成部と、上記生成された信号混雑度と当該信号混雑度が生成された位置における干渉指標とに基づいて、上記接続対象となる基地局の混雑度を示す基地局混雑度を生成する基地局混雑度生成部とをさらに具備し、上記生成部は、上記生成された基地局混雑度と上記取得された干渉指標とに基づいて上記対象エリアにおける信号混雑度を生成し、当該生成された対象エリアにおける信号混雑度から当該対象エリアにおける上記通信速度を予測して、当該予測された通信速度を上記通信状態情報として生成するようにしてもよい。これにより、生成された基地局混雑度と対象エリアに係る干渉指標とに基づいて生成された対象エリアにおける信号混雑度に基づいて対象エリアにおける通信速度が予測されるという作用をもたらす。
【００１４】
また、この第１の側面において、上記信号混雑度生成部は、上記受信信号と上記接続対象となる基地局に割り振られた符号との相関出力と、上記受信信号と上記無線通信装置が信号を受信できる他の基地局に割り振られた符号との相関出力のうちの最も相関が小さい基地局に係る相関出力との比に基づいて上記信号混雑度を生成し、上記基地局混雑度生成部は、上記生成された信号混雑度と当該信号混雑度が生成された位置における干渉指標との関係に基づいて上記基地局混雑度を生成するようにしてもよい。これにより、受信信号と接続対象となる基地局に割り振られた符号（スクランブルコード）との相関出力と、受信信号と無線通信装置が信号を受信できる他の基地局に割り振られた符号との相関出力のうちの最も相関が小さい基地局に係る相関出力との間における関係に基づいて信号混雑度が生成されるという作用をもたらす。
【００１５】
また、この第１の側面において、上記情報処理装置は、上記干渉指標を保持するサーバであり、上記取得部は、上記無線通信装置から供給された位置に基づいて検出された上記対象エリアの位置または当該対象エリアに近接する位置に関連付けられている上記干渉指標を取得するようにしてもよい。これにより、サーバにより、対象エリアの干渉指標が特定されるという作用をもたらす。
【００１６】
また、この第１の側面において、上記無線通信装置から供給された位置を時系列で保持する位置情報保持部と、上記保持された位置に基づいて上記無線通信装置の移動経路を予測する移動経路予測部とをさらに具備し、上記生成部は、上記予測された移動経路を上記対象エリアとして上記通信状態情報を生成するようにしてもよい。これにより、予測された移動経路の通信状態情報がサーバにより生成されるという作用をもたらす。
【００１７】
また、この第１の側面において、基地局の混雑度を示す基地局混雑度を保持する基地局混雑度保持部をさらに具備し、上記生成部は、上記予測された移動経路における接続対象の基地局の基地局混雑度を上記基地局混雑度保持部から取得して、当該取得された基地局混雑度と上記対象エリアの干渉指標とに基づいて通信速度を予測し、当該予測された通信速度を上記通信状態情報として生成するようにしてもよい。これにより、対象エリアにおいて接続対象である基地局の基地局混雑度が基地局混雑度保持部から取得され、この取得された基地局混雑度と対象エリアの干渉指標とに基づいて通信速度が予測されるという作用をもたらす。
【００１８】
また、この第１の側面において、上記取得部は、上記対象エリアの位置または当該対象エリアに近接する位置に関連付けられている上記干渉指標を複数の通信網ごとに取得し、上記生成部は、上記取得された干渉指標に基づいて上記対象エリアにおける上記複数の通信網のそれぞれの通信状態を検出し、当該複数の通信網のうちの特定条件を満たす通信網を示す情報を上記通信状態情報として生成するようにしてもよい。これにより、複数の通信網のそれぞれの通信状態が検出され、当該複数の通信網のうちの特定条件を満たす通信網が通知されるという作用をもたらす。
【００１９】
また、この第１の側面において、上記生成部は、上記複数の通信網のうちの予測された通信速度が最も速い通信網を上記特定条件を満たす通信網として上記通信状態情報を生成するようにしてもよい。これにより、複数の通信網のそれぞれの通信状態が検出され、当該複数の通信網のうちの最も速い通信網が通知されるという作用をもたらす。
【００２０】
また、本技術の第２の側面は、接続対象となる基地局の混雑度を示す基地局混雑度を取得する混雑度取得部と、上記接続対象となる基地局との無線通信における干渉の度合いを示す干渉指標と、無線通信装置が受信する信号の強度を示す受信信号強度と、上記取得された基地局混雑度とに基づいて通信品質を検出する検出部と、上記検出された通信品質をユーザに通知するための表示画像を生成する表示画像生成部とを具備する無線通信装置およびその制御方法ならびに当該方法をコンピュータに実行させるプログラムである。これにより、干渉指標と受信信号強度と基地局混雑度とに基づいて通信品質が検出されるという作用をもたらす。
【００２１】
また、この第２の側面において、上記表示画像生成部は、上記通信品質を特定標識の増減により表す上記表示画像を生成するようにしてもよい。これにより、通信品質が特定標識の増減により表されるという作用をもたらす。
【００２２】
また、この第２の側面において、受信する信号のうちの上記無線通信装置の通信速度の増減に関わる信号の度合いを示す信号混雑度を生成する信号混雑度生成部をさらに具備し、上記混雑度取得部は、上記生成された信号混雑度と、当該信号混雑度が生成された位置における上記干渉指標とに基づいて、上記接続対象となる基地局の混雑度を示す基地局混雑度を取得するようにしてもよい。これにより、信号混雑度と干渉指標とに基づいて、接続対象となる基地局の混雑度を示す基地局混雑度を取得するという作用をもたらす。
【００２３】
また、本技術の第３の側面は、無線通信装置の接続対象となる基地局との無線通信における干渉の度合いを示す干渉指標であって、上記無線通信装置の通信状態を検出するための対象エリアの位置または当該対象エリアに近接する位置に関連付けられている干渉指標を複数の通信網ごとに取得して、上記対象エリアにおける上記複数の通信網のそれぞれの通信状態を上記取得された干渉指標と、上記接続対象となる基地局の混雑度を示す基地局混雑度とに基づいて検出し、上記複数の通信網のうちの特定条件を満たす通信網を示す情報を通信状態情報として生成する情報処理装置から送信された上記対象エリアにおける上記通信状態情報を取得する取得部と、上記取得された通信状態情報に基づいて上記特定条件を満たす通信網と接続するための制御を行う制御部とを具備する無線通信装置およびその制御方法ならびに当該方法をコンピュータに実行させるプログラムである。これにより、複数の通信網のそれぞれの干渉指標に基づいて対象エリアにおいて特定条件を満たす通信網を検出した情報処理装置から供給された通信状態情報に基づいて特定条件を満たす通信網と接続するための制御が行われるという作用をもたらす。
【００２４】
また、本技術の第４の側面は、無線通信装置と上記無線通信装置の接続対象となる基地局との無線通信における干渉の度合いを示す干渉指標であって、上記無線通信装置の通信状態を検出するための対象エリアの位置または当該対象エリアに近接する位置に関連付けられている干渉指標を供給する情報処理装置と、上記供給された干渉指標と、上記接続対象となる基地局の混雑度を示す基地局混雑度とに基づいて、上記対象エリアにおける上記通信状態を通知するための通信状態情報を生成する無線通信装置とを具備する通信システムおよびその制御方法ならびに当該方法をコンピュータに実行させるプログラムである。これにより、情報処理装置が供給された干渉指標と、接続対象となる基地局の混雑度を示す基地局混雑度とに基づいて、対象エリアにおける通信状態情報を生成するという作用をもたらす。
【発明の効果】
【００２５】
本技術によれば、無線通信における適切な通信状態を把握することができるという優れた効果を奏し得る。
【図面の簡単な説明】
【００２６】
【図１】本技術の実施の形態における無線通信装置が無線通信を行っている最中に発生する周辺セルからの無線信号による干渉を概念的に示す図である。
【図２】図２は、図１（ａ）および（ｂ）において示した携帯電話（無線通信装置１２０および１５０）における干渉の強弱と通信品質表示との間の関係を模式的に示す図である。
【図３】本技術の第１の実施の形態における無線通信装置２００の構成例を示すブロック図である。
【図４】本技術の第１の実施の形態におけるパイロット信号レベル保持部２５０に保持されるパイロット信号レベル情報の一例を簡略化して示す図である。
【図５】本技術の第１の実施の形態における干渉指標情報保持部３２０に保持される干渉指標情報の一例を簡略化して示す図である。
【図６】本技術の第１の実施の形態における表示部３７０に表示される干渉指標付予測経路を示す表示画面の一例を示す模式図である。
【図７】本技術の第１の実施の形態における表示部３７０に表示される干渉指標付予測経路を示す表示画面の一例を示す模式図である。
【図８】本技術の第１の実施の形態における無線通信装置２００によって干渉指標付予測経路が生成される際の干渉指標付予測経路生成処理手順例を示すフローチャートである。
【図９】本技術の第２の実施の形態における通信システム５００の構成例を示すブロック図である。
【図１０】本技術の第２の実施の形態における無線通信装置５１０によって干渉指標付予測経路が生成される際の干渉指標付予測経路生成処理手順例を示すフローチャートである。
【図１１】本技術の第３の実施の形態における通信システム５０１の無線通信装置５１１の構成例を示すブロック図である。
【図１２】本技術の第３の実施の形態における通信システム５０１のサーバ６０１の構成例を示すブロック図である。
【図１３】本技術の第４の実施の形態における無線通信装置７１０の構成例を示すブロック図である。
【図１４】本技術の第４の実施の形態の表示部３７０に表示される現在位置付近の予測通信速度を示す表示画面の一例を示す模式図である。
【図１５】本技術の第４の実施の形態における無線通信装置７１０によって予測通信速度が生成される際の予測通信速度生成処理手順例を示すフローチャートである。
【図１６】本技術の第５の実施の形態における通信システム７０１の無線通信装置７１１の構成例を示すブロック図である。
【図１７】本技術の第５の実施の形態における通信システム７０１のサーバ８００の構成例を示すブロック図である。
【図１８】本技術の第５の実施の形態の表示部３７０に表示される予測経路および予測経路上の予測通信速度が付された地図の表示画面の一例を示す模式図である。
【図１９】本技術の第５の実施の形態におけるサーバ８００によって予測情報が生成される際の予測情報生成処理手順例を示すフローチャートである。
【図２０】本技術の第６の実施の形態における通信システム１１００の無線通信装置１２００の構成例を示すブロック図である。
【図２１】本技術の第６の実施の形態における通信システム１１００のサーバ１３００の構成例を示すブロック図である。
【図２２】本技術の第６の実施の形態において、通知データに基づく通信網の切り替えに関する設定を行う際に表示部３７０に表示される表示画面の表示例を示す図である。
【図２３】本技術の第７の実施の形態における通信システム１１０１の構成例を示すブロック図である。
【図２４】本技術の第８の実施の形態における通信システム１５００の無線通信装置１５１０の構成例を示すブロック図である。
【図２５】本技術の第９の実施の形態における無線通信装置１６１０の構成例を示すブロック図である。
【図２６】本技術の第１０の実施の形態における干渉指標情報保持部３２０に保持される位置ごとの干渉指標の一例を簡略化して示す図である。
【発明を実施するための形態】
【００２７】
以下、本技術を実施するための形態（以下、実施の形態と称する）について説明する。説明は以下の順序により行う。
１．本技術の実施の形態に至る経緯
２．第１の実施の形態（干渉指標予測制御：予測経路上の干渉指標を予測する例）
３．第２の実施の形態（干渉指標予測制御：干渉指標をサーバから取得する例）
４．第３の実施の形態（干渉指標予測制御：干渉指標をサーバで予測する例）
５．第４の実施の形態（通信速度予測制御：予測経路上の通信速度を予測する例）
６．第５の実施の形態（通信速度予測制御：通信速度をサーバで予測する例）
７．第６の実施の形態（無線設定制御：予測経路上の通信速度の予測に基づいて適切な通信網を選択する例）
８．第７の実施の形態（無線設定制御：無線通信を行うアプリケーションの種類に応じて無線設定を変更するか否か判断する例）
９．第８の実施の形態（通信速度予測制御：ＯＦＤＭＡ方式の例）
１０．第９の実施の形態（アンテナバー表示制御：干渉指標とセル混雑度とＲＳＳＩとに基づいてアンテナバー表示を生成する例）
１１．第１０の実施の形態（干渉指標予測制御：指向性が変化する基地局の例）
【００２８】
＜１．本技術の実施の形態に至る経緯＞
まず、本技術の実施の形態に至った経緯について、図１および図２を参照して説明する。
【００２９】
［周辺セルからの無線信号により発生する干渉の概略］
図１は、本技術の実施の形態における無線通信装置が無線通信を行っている最中に発生する周辺セルからの無線信号による干渉を概念的に示す図である。図１（ａ）には、周辺セルからの干渉が多い場合が模式的に示され、図１（ｂ）には、周辺セルからの干渉が少ない場合が模式的に示されている。なお、図１では、無線通信装置として、ＨＳＤＰＡ（High Speed Downlink Packet Access）方式による無線通信を行う無線通信装置（携帯電話）を想定して説明する。
【００３０】
図１（ａ）には、携帯電話（無線通信装置１２０）がデータを送受信する無線基地局（セル）として、サービングセル１１１が示されている。さらに、図１（ａ）には、サービングセル１１１以外の無線基地局のうち無線通信装置１２０に電波（無線信号）が受信されてしまう無線基地局として、周辺セル１１２および１１３が示されている。
【００３１】
サービングセル１１１は、無線通信装置１２０に最も近い無線基地局であるため、無線通信装置１２０と無線通信（矢印１１４）を行っている。また、周辺セル１１２および１１３は、発信した無線信号が無線通信装置１２０に受信されるほど近いもののサービングセル１１１よりも遠いため無線通信は行っていない。しかしながら、周辺セル１１２および１１３が発信した無線信号は無線通信装置１２０に届いている（矢印１１５および矢印１１６）。この周辺セル１１２および１１３からの電波（無線信号）は、サービングセル１１１と無線通信を行っている無線通信装置１２０にとっては、無線通信を妨げる干渉源となってしまう。
【００３２】
図１（ｂ）には、携帯電話（無線通信装置１５０）がデータを送受信する無線基地局（セル）として、サービングセル１４１が示されている。さらに、図１（ｂ）には、サービングセル１１１以外の無線基地局のうちの無線通信装置１２０に無線信号が受信されてしまう無線基地局として、周辺セル１４２が示されている。
【００３３】
図１（ｂ）において示すサービングセル１４１は、図１（ａ）のサービングセル１１１よりも携帯電話の近くに位置する。また、図１（ｂ）において示す周辺セル１４２は、図１（ａ）において示した周辺セル１１２および１１３と比較して、携帯電話から遠い位置にある。
【００３４】
すなわち、図１（ｂ）の無線通信装置１５０が受信する無線基地局からの無線信号は、サービングセルからの無線信号の強度（レベル）は図１（ａ）の場合よりも強い。一方、周辺セルからの無線信号のレベルは、図１（ａ）の場合よりも弱い。これにより、図１（ｂ）の無線通信装置１５０は、図１（ａ）の無線通信装置１２０と比較して、無線通信を妨げる干渉の影響が弱くなる。
【００３５】
次に、干渉の強弱により発生する問題について、図２を参照して説明する。
【００３６】
［干渉の強弱と通信品質表示との間の関係例］
図２は、図１（ａ）および（ｂ）において示した携帯電話（無線通信装置１２０および１５０）における干渉の強弱と通信品質表示との間の関係を模式的に示す図である。
【００３７】
図２（ａ）には、図１（ａ）および（ｂ）において示した携帯電話（無線通信装置１２０および１５０）が受信する無線信号における受信信号強度（ＲＳＳＩ：Received Signal Strength Indicator)のレベル（強度）を示す棒グラフが示されている。このグラフには、縦軸をＲＳＳＩの強度を示す軸として、無線通信装置１２０のＲＳＳＩ強度（ＲＳＳＩ強度１２１）と、無線通信装置１５０のＲＳＳＩ強度（ＲＳＳＩ強度１５１）とが示されている。なお、図２では、ＲＳＳＩ強度１５１とＲＳＳＩ強度１２１とは同じ強さ（レベル）であることを想定する。
【００３８】
ＲＳＳＩ強度１２１には、サービングセル１１１からの無線信号がＲＳＳＩ強度１２１に寄与した割合を示すＲＳＳＩ割合量１２２と、周辺セル１１２からの無線信号がＲＳＳＩ強度１２１に寄与した割合を示すＲＳＳＩ割合量１２３とが示されている。また、ＲＳＳＩ強度１２１には、周辺セル１１３からの無線信号がＲＳＳＩ強度１２１に寄与した割合を示すＲＳＳＩ割合量１２４が示されている。
【００３９】
ＲＳＳＩ強度１５１には、サービングセル１４１からの無線信号がＲＳＳＩ強度１５１に寄与した割合を示すＲＳＳＩ割合量１５２と、周辺セル１４２からの無線信号がＲＳＳＩ強度１５１に寄与した割合を示すＲＳＳＩ割合量１５３とが示されている。
【００４０】
図２（ａ）において示したＲＳＳＩ強度（ＲＳＳＩ強度１２１およびＲＳＳＩ強度１５１）は、一般的に、無線通信装置（特に、携帯電話）が通信品質を検出するために用いられる。すなわち、無線通信装置１２０および１５０は、受信している無線信号の強度（ＲＳＳＩ強度）を検出し、その検出したＲＳＳＩ強度に基づいて通信品質を測定する。図２（ａ）に示すように、ＲＳＳＩ強度には、サービングセルからの無線信号の強度の他に、周辺セルからの無線信号の強度が含まれている。環境によって、この周辺セルからの無線信号の強度が無視できないほど大きくなることがある。
【００４１】
図２（ｂ）は、図２（ａ）において示したＲＳＳＩ強度１２１に基づいて無線通信装置１２０に表示される通信品質表示（アンテナバー１２５）と、この状態におけるダウンロード結果（通信速度）を模式的に示す表示画面（画面１２６）とが示されている。また、図２（ｃ）には、図２（ａ）において示したＲＳＳＩ強度１５１に基づいて無線通信装置１５０に表示される通信品質表示（アンテナバー１５５）と、この状態におけるダウンロード結果（通信速度）を模式的に示す表示画面（画面１５６）とが示されている。
【００４２】
アンテナバー１２５およびアンテナバー１５５には、両方ともに、アンテナバーが３本示されている。しかしながら、ＲＳＳＩ強度における周辺セルからの無線信号の割合が図２（ｂ）の方が多い（干渉が強い）ため、例えば、画面１２６には平均通信速度が０．４Ｍｂｐｓと示され、画面１５６には平均通信速度が１．２Ｍｂｐｓと示される。すなわち、アンテナバーが３本示されて通信品質の表示が良好を示しているにも係わらずに、平均通信速度に大きな差が生じている。
【００４３】
このように、ＲＳＳＩ強度に基づいて表示されるアンテナバーは通信品質（通信状態）を適切に知るためには当てにできない。しかしながら、適切な通信品質を知ることはユーザにとって重要な内容である。例えば、重要な会話をする場合には、通信品質が少しでも良好な場所で発信したいとユーザが考えることが想定される。また、移動しながら無線通信を使用している場合には、移動経路上における通信品質が気になることが想定される。
【００４４】
そこで、通信品質（通信状態）を適切に検出することが必要になる。本技術の実施の形態では、このような機能を備える携帯端末（無線通信装置）について説明する。
【００４５】
＜２．本技術の第１の実施の形態＞
［無線通信装置の構成例］
図３は、本技術の第１の実施の形態における無線通信装置２００の構成例を示すブロック図である。
【００４６】
なお、図３には無線通信装置２００の他に、無線通信装置２００が無線通信する無線基地局（基地局１６０）が示されている。
【００４７】
無線通信装置２００は、携帯型の通信装置（例えば、携帯電話やスマートフォン）であり、通信部２１０と、パイロット信号検出部２２０と、周辺セル情報取得部２３０と、周辺セル情報保持部２４０と、パイロット信号レベル保持部２５０とを備える。また、無線通信装置２００は、サービングセル決定部２６０と、サービングセル情報保持部２７０と、干渉指標生成部２８０と、位置情報取得部３１０と、干渉指標情報保持部３２０と、位置情報履歴保持部３３０と、移動経路予測部３４０と、干渉指標予測部３５０と、表示画像生成部３６０と、表示部３７０とを備える。
【００４８】
通信部２１０は、電波（無線信号）の送受信により通信を行うものである。この通信部２１０は、基地局１６０からの無線信号（無線回線１６１）から、少なくとも、パイロット信号と、周辺セルに関する報知情報とを受信する。
【００４９】
パイロット信号検出部２２０は、通信部２１０が受信した無線信号のうちからパイロット信号を検出するものである。このパイロット信号検出部２２０は、通信部２１０が受信した無線信号に対して、基地局ごとに割り当てられている異なるコードであるスクランブルコードを用いてこの無線信号に含まれているパイロット信号を検出する。これにより、無線通信装置２００は、通信部２１０が受信した無線信号に複数の基地局からの無線信号が含まれている場合においても、その複数の基地局のパイロット信号をそれぞれ検出することができる。パイロット信号検出部２２０は、検出したパイロット信号の強度（パイロット信号レベル）と、そのパイロット信号を発信した基地局を特定するための情報（例えば、スクランブルコード）とを紐付けた情報（パイロット信号レベル情報）を生成する。そして、パイロット信号検出部２２０は、生成したパイロット信号レベル情報をパイロット信号レベル保持部２５０に供給し、パイロット信号レベル保持部２５０にパイロット信号レベル情報を保持させる。
【００５０】
また、パイロット信号検出部２２０は、サービングセル、周辺セル等のスクランブルコードが特定できていない場合には、３段階セルサーチにより相関検出を行い、最も高い相関が検出されるスクランブルコードを特定する。そして、パイロット信号検出部２２０は、その特定されたスクランブルコードが割り当てられた基地局(セル)をサービングセルとして決定する。ここで、サービングセルとは、無線通信装置が無線通信を行っていて接続中のセル（基地局）、または、セルサーチにより特定された接続予定のセルである。すなわち、サービングセルは、接続対象のセル（基地局）を示す。
【００５１】
なお、パイロット信号検出部２２０は、パイロット信号レベル保持部２５０に保持されているパイロット信号レベル情報を定期的または不定期に更新する。パイロット信号検出部２２０は、パイロット信号レベル情報を更新する場合には、周辺セル情報保持部２４０およびサービングセル情報保持部２７０から、周辺セルを特定するための情報（周辺セル情報）と、サービングセルを特定するための情報（サービングセル情報）とを取得する。そして、パイロット信号検出部２２０は、サービングセルおよび周辺セルのパイロット信号の強度（パイロット信号レベル）をそれぞれ検出して、パイロット信号レベル保持部２５０に供給して、パイロット信号レベル情報の更新を行う。
【００５２】
パイロット信号レベル保持部２５０は、サービングセルおよび周辺セルのパイロット信号レベル情報をそれぞれ保持するものである。このパイロット信号レベル保持部２５０が保持するパイロット信号レベル情報は、パイロット信号検出部２２０が定期的または不定期にパイロット信号のレベルを検出するため、定期的にまたは不定期に更新される。なお、パイロット信号レベル保持部２５０が保持するパイロット信号レベル情報については、図４を参照して説明するため、ここでの説明を省略する。
【００５３】
周辺セル情報取得部２３０は、サービングセルが発信した報知情報に含まれる周辺セルに関する情報（周辺セル情報）を取得するものである。この周辺セル情報取得部２３０は、サービングセル情報保持部２７０から供給されるサービングセル情報が示すセル（サービングセル）の報知情報を受信して、その受信した報知情報から周辺セル情報を取得する。
【００５４】
周辺セル情報取得部２３０は、周辺セル情報として、少なくとも、周辺セルに割り当てられたスクランブルコードと、周辺セルのパイロット信号のそれぞれのタイミング差分情報とを取得する。ここで、タイミング差分情報とは、サービングセルのパイロット信号の受信タイミングと、周辺セルのパイロット信号の受信タイミングとの間の差分を周辺セルごとに示す情報である。なお、基地局がＧＰＳ（Global Positioning System）信号を利用する同期システムであって、ＧＰＳ信号に対するタイミング差をタイミング差分情報の代わりに報知する場合には、このＧＰＳ信号に対するタイミング差を取得する。周辺セル情報取得部２３０は、取得した周辺セル情報を、周辺セル情報保持部２４０に供給し、周辺セル情報保持部２４０に周辺セル情報を保持させる。
【００５５】
周辺セル情報保持部２４０は、周辺セル情報取得部２３０から供給された周辺セル情報を保持するものである。すなわち、周辺セル情報保持部２４０は、少なくとも、周辺セルのスクランブルコードとタイミング差分情報とを周辺セルごとに保持する。この周辺セル情報保持部２４０に保持される周辺セル情報は、パイロット信号検出部２２０がパイロット信号レベルを取得する際に用いられる。
【００５６】
サービングセル決定部２６０は、パイロット信号レベル保持部２５０に保持されているパイロット信号レベル情報に基づいて、サービングセルを決定するものである。このサービングセル決定部２６０は、最もパイロット信号のレベルが高いパイロット信号レベル情報を検出して、このパイロット信号レベル情報のスクランブルコードが示すセル（基地局）をサービングセルとして決定する。
【００５７】
また、サービングセル決定部２６０は、サービングセル切り替え（再選択）処理を行う。まず、サービングセル決定部２６０は、サービングセル情報保持部２７０から供給されるサービングセル情報が指定するセルのパイロット信号レベル情報をパイロット信号レベル保持部２５０から取得して、現在のサービングセルのパイロット信号レベルを特定する。そして、サービングセル決定部２６０は、この特定したパイロット信号レベルよりも高いレベルのパイロット信号を発信する周辺セルの有無を解析する。サービングセル決定部２６０は、現在のサービングセルよりパイロット信号レベルが高い周辺セルを検出した場合には、このパイロット信号を発信したセルをサービングセルとするサービングセル切り替え処理を行う。
【００５８】
サービングセル決定部２６０は、サービングセルとして決定したセルに関する情報（サービングセル情報）を、サービングセル情報保持部２７０に供給して、サービングセル情報保持部２７０に保持させる。なお、サービングセル情報には、少なくとも、サービングセルとして決定されたセルのスクランブルコードと、この決定されたセルのパイロット信号の受信レベルに関する情報とを含む。
【００５９】
サービングセル情報保持部２７０は、サービングセル決定部２６０から供給されたサービングセル情報を保持するものである。このサービングセル情報保持部２７０が保持するサービングセル情報は、周辺セル情報取得部２３０、パイロット信号検出部２２０、サービングセル決定部２６０および干渉指標生成部２８０に供給される。
【００６０】
干渉指標生成部２８０は、パイロット信号レベル保持部２５０に保持されているパイロット信号レベル情報に基づいて、干渉指標を生成するものである。ここで干渉指標とは、周辺セルからの無線信号が起因となって発生する通信の妨害（干渉）の度合いを示す指標である。すなわち、干渉指標は、図２（ａ）のＲＳＳＩ強度１２１のような通信状態においては強い干渉を示す値となり、図２（ｂ）のＲＳＳＩ強度１５１のような通信状態においては弱い干渉を示す値となる。なお、干渉指標の算出方法については、図４を参照して説明するため、ここでの説明を省略する。干渉指標生成部２８０は生成した干渉指標を、干渉指標情報保持部３２０に供給する。
【００６１】
位置情報取得部３１０は、無線通信装置２００の現在位置を示す位置情報（経度、緯度）を定期的にまたは不定期に取得するものである。この位置情報取得部３１０は、少なくとも、干渉指標生成部２８０が干渉指標を生成したタイミング（その干渉指標の生成の基となったパイロット信号の検出タイミング）における位置情報を取得する。なお、この位置情報取得部３１０による現在位置の検出については種々の検出方法が考えられる。例えば、ＧＰＳ（Global Positioning System）を用いる方法や、基地局から報知される基地局の位置情報を利用する方法、または、基地局ごとに固有の識別子（セルＩＤ）を用いてネットワークから基地局の位置情報をダウンロードする方法等がある。位置情報取得部３１０は、取得した位置情報を、干渉指標情報保持部３２０および位置情報履歴保持部３３０に供給する。
【００６２】
干渉指標情報保持部３２０は、干渉指標生成部２８０が生成した干渉指標と、位置情報取得部３１０が生成した位置情報とを紐付けた情報（干渉指標情報）を保持するものである。すなわち、干渉指標情報保持部３２０は、干渉指標と、干渉指標を検出したタイミングにおける無線通信装置２００の位置とを紐付けて保持する。なお、干渉指標情報保持部３２０は、周波数チャンネルごとの基地局の配置の違いに起因する干渉指標の差異を保持するために、干渉指標を周波数チャンネルごとに保持するようにしてもよい。このように、干渉指標と、干渉指標を検出したタイミングにおける無線通信装置２００の位置とを紐付けて保持することにより、干渉指標情報保持部３２０は、ユーザが１度在圏したことのあるエリアでの干渉指標を蓄積することができる。なお、干渉指標情報の一例については、図５を参照して説明するためここでの説明を省略する。干渉指標情報保持部３２０が保持する干渉指標情報は、干渉指標予測部３５０に供給される。なお、干渉指標情報保持部３２０は、特許請求の範囲に記載の保持部の一例である。
【００６３】
位置情報履歴保持部３３０は、位置情報取得部３１０から供給される位置情報を時系列に保持して、無線通信装置２００の位置の履歴を保持するものである。すなわち、位置情報履歴保持部３３０は、現在位置までの移動経路の履歴（移動履歴）を保持する。なお、この位置情報履歴保持部３３０が保持する位置情報は、少なくとも、移動経路予測部３４０において無線通信装置２００の今後の移動経路を予測するために必要な量ほど保持される。位置情報履歴保持部３３０は、保持する移動履歴を、移動経路予測部３４０に供給する。
【００６４】
移動経路予測部３４０は、位置情報履歴保持部３３０に時系列に保持されている位置情報（移動履歴）に基づいて、今後の移動経路の予測を行うものである。移動経路予測部３４０は、予測した今後の移動経路（予測経路）を、干渉指標予測部３５０に供給する。
【００６５】
干渉指標予測部３５０は、移動経路予測部３４０から供給された予測経路上における各位置の干渉指標を、干渉指標情報保持部３２０から供給される干渉指標に基づいて算出（予測）するものである。すなわち、干渉指標予測部３５０は、予測経路の各位置を干渉指標の検出の対象エリアとして、この対象エリアにおける通信状態（干渉指標）を予測する。この干渉指標予測部３５０は、予測経路上の位置やこの位置に近接する位置に紐付けられている干渉指標を干渉指標情報保持部３２０から取得し、この取得した干渉指標に基づいて予測経路上における干渉指標を算出（特定）する。干渉指標予測部３５０は、予測経路上の位置と同じ位置に紐付けられている干渉指標が干渉指標情報保持部３２０に保持されている場合には、この干渉指標をその位置の干渉指標とする。また、近接する位置に紐付けられている干渉指標のみが干渉指標情報保持部３２０に保持されている場合には、この干渉指標から予測経路上の干渉指標を予測する。干渉指標予測部３５０は、予測経路の各位置の干渉指標が位置情報に付された予測経路（干渉指標付予測経路）を、表示画像生成部３６０に供給する。なお、干渉指標予測部３５０は、特許請求の範囲に記載の取得部および生成部の一例である。
【００６６】
表示画像生成部３６０は、干渉指標予測部３５０から供給された干渉指標付予測経路に基づいて、表示部３７０に表示させる画像（表示画像）を生成するものである。例えば、表示画像生成部３６０は、無線通信装置２００の現在位置付近の地図の画像に、干渉指標付予測経路が示す予測経路と、この予測経路上の干渉指標とを記載した画像を生成し、この生成した画像を表示部３７０に表示させる。この表示により、ユーザに予測経路上の干渉指標（通信状態）が通知される。なお、干渉指標付予測経路の表示例については、図６および図７を参照して説明する。
【００６７】
表示部３７０は、各種情報（文字情報や時刻情報等）をユーザに表示するものである。表示部３７０は、例えば、干渉指標予測部３５０から供給された干渉指標付予測経路（例えば、図６および図７参照）を表示する。なお、表示部３７０として、例えば、有機ＥＬ（Electro Luminescence）パネル、ＬＣＤ（Liquid Crystal Display）パネル等の表示パネルを用いることができる。
【００６８】
［パイロット信号レベル保持部に保持されるパイロット信号レベル情報の例］
図４は、本技術の第１の実施の形態におけるパイロット信号レベル保持部２５０に保持されるパイロット信号レベル情報の一例を簡略化して示す図である。
【００６９】
なお、図４では、パイロット信号レベル保持部２５０には、パイロット信号レベルが大きいものから順（図４の上側）に保存されていることを想定して説明する。
【００７０】
図４には、パイロット信号レベル保持部２５０に保持されるパイロット信号レベル情報を簡略化して示す表（表２５１）が示されている。表２５１に示すように、パイロット信号レベル保持部２５０では、スクランブルコード（列２５３）と、パイロット信号レベル（列２５４）とが関連付けられて保持されている。また、表２５１では、ここで示すパイロット信号レベル（列２５４）の例におけるサービングセルと周辺セルとを識別するために、各パイロット信号レベルの基地局（セル）を示す列２５２が示されている。
【００７１】
ここで、サービングセル決定部２６０によるサービングセルの決定について、表２５１を用いて説明する。
【００７２】
表２５１に示すように、７つのセルのパイロット信号が検出されている状態において、サービングセル決定部２６０は、パイロット信号のレベルが最も高いパイロット信号レベル情報を検出する。そして、サービングセル決定部２６０は、この検出されたパイロット信号レベル情報（「−７８」ｄＢｍ）のスクランブルコード（「１２８」）が示すセルをサービングセルとして決定し、サービングセル情報保持部２７０に保持させる。また、サービングセルが既に決定されている場合において、サービングセル決定部２６０は、サービングセルよりも高いレベルのパイロット信号レベルのセルがある場合には、サービングセルを更新する（セル再選択）。なお、このセル再選択処理においては、サービングセルと、周辺セル１のパイロット信号レベルが同等のエリアで頻繁にサービングセルが入れ替わることを避けるために、ヒステリシス特性を持たせる。具体的には、現在のサービングセルのパイロット信号レベルに対して、周辺セル１（最もパイロット信号レベルが高い周辺セル）のパイロット信号レベルが任意の閾値以上大きくなった条件において、サービングセルを入れ替える処理を行えばよい。
【００７３】
次に、干渉指標生成部２８０による干渉指標の算出について、表２５１を用いて説明する。
【００７４】
サービングセルおよび周辺セルのそれぞれのパイロット信号レベルが表２５１に示すように検出されている場合において、干渉指標（ｋｉｆ）を、例えば、次の式１を用いて算出する。
【数１】
0006293400.tif 000002
ここで、ＰＣＰＩＣＨｓｅｒｖは、サービングセルのパイロット信号レベルを真数に変換した値である。右辺の分子のΣにより算出される値は、周辺セルのパイロット信号レベルを真数に変換した値を総和した値である。すなわち、ＰＣＰＩＣＨｎｅｉｇｈｂ＃１乃至ＰＣＰＩＣＨｎｅｉｇｈｂ＃６は、周辺セル＃１乃至＃６のパイロット信号レベルを真数に変換した値を示す。
【００７５】
上述の式１により算出される干渉指標（Ｋｉｆ）は、干渉が全く存在しない環境では、「０」となる値である。干渉が増加し、干渉の度合い（レベル）と、サービングセルのパイロット信号レベルとが等しくなると「１」になり、干渉の度合いがさらに大きくなると、もっと大きな値になる。
【００７６】
なお、表２５１に示す７つのパイロット信号レベル情報のパイロット信号レベルから式１を用いて算出される干渉指標は、「０．２１８」となる。
【００７７】
［干渉指標情報保持部に保持される位置ごとの干渉指標の例］
図５は、本技術の第１の実施の形態における干渉指標情報保持部３２０に保持される干渉指標情報の一例を簡略化して示す図である。
【００７８】
図５には、検出された位置とともに保持される干渉指標情報（干渉指標と、その干渉指標を検出した位置とを紐付けた情報）を簡略化して示す表（表３２１）が示されている。表３２１に示すように、干渉指標情報保持部３２０では、干渉指標を検出した位置を示す位置情報（経度を表す列３２２、緯度を表す列３２３）と、干渉指標（列３２４）とが関連付けられて（紐付けられて）保持されている。なお、図３において説明したように、この表を周波数チャンネルごとに保持してもよい。
【００７９】
表３２１に示すように、干渉指標情報保持部３２０を設けることによって、干渉指標を、その干渉指標を検出した位置に紐付けて保持させることができる。なお、干渉指標情報保持部３２０に保持される干渉指標情報は、できる限り多いことが望ましいが、記録容量に制限がある場合には、干渉指標予測部３５０における使用頻度を記録しておき、使用頻度の少ないものから順に削除することが考えられる。
【００８０】
［干渉指標付予測経路の表示例］
図６および図７は、本技術の第１の実施の形態における表示部３７０に表示される干渉指標付予測経路を示す表示画面の一例を示す模式図である。
【００８１】
図６では、予測経路上の干渉指標を数値で表す例について説明する。また、図７では、予測経路上の干渉指標を、予測経路を示す表示の色彩や、線の太さなどの違いにより示す例について説明する。なお、図６および図７では、上述の式１を用いて干渉指標を算出したことを想定して説明する。また、なお、図７の予測経路および予測経路上の干渉指標は、図６において示したものと同様のものであることを想定する。
【００８２】
図６に示す干渉指標付予測経路の表示画面（画面４１０）には、無線通信装置２００の現在位置を示す目印（携帯電話４１１）と、予測経路を示す太線の矢印（矢印４１６）とが示されている。また、画面４１０には、予測経路上における各干渉指標を示す数値（干渉指標値４１２乃至４１５）が示されている。
【００８３】
干渉指標値４１２乃至４１５において示す値から、ユーザは、干渉指標値４１２および４１４で示す経路において干渉が比較的に低い（０．１２５および０．１０３）ことを認識することができる。また、ユーザは、干渉指標値４１５で示す経路においては干渉が比較的に高い（０．２３３および０．３３３）ことを認識することができ、干渉指標値４１３で示す経路においては干渉が予測経路上の平均的な値に近いことを認識することができる。
【００８４】
図７に示す干渉指標付予測経路の表示画面（画面４２０）には、現在位置を示す目印（携帯電話４２１）と、予測経路における干渉指標と予測経路とを共に示す線（線４２２乃至４２５）とが示されている。なお、線４２２および線４２４は直線により示され、線４２３は破線により示され、線４２５は点線により示されている。
【００８５】
線４２２乃至４２５における線種の直線は干渉が比較的に低い予測経路を示し、点線は干渉が比較的に高い予測経路を示し、破線は干渉が予測経路上の平均的な値に近いことを示している。なお、図７では、線種の違いにより干渉指標と予測経路とを共に示したが、カラー表示が可能な表示部３７０であれば、予測経路を示す線の色彩を変化させることにより、より明確に表すことができる。例えば、干渉が低い位置を青色とし、干渉が高い位置を赤色とし、干渉が予測経路上の平均的な値に近いところを黄色とすることにより、より明確に表すことができる。
【００８６】
画面４１０および画面４２０に示すように、無線通信装置２００は、移動経路予測部３４０が予測した移動経路上の干渉指標を、干渉指標情報保持部３２０に保持されている干渉指標に基づいて予測することができる。現在位置での干渉指標の数値や、移動経路上の干渉指標を表示画像（画面４１０）としてユーザに表示することにより、ユーザは、今後の無線通信品質（通信状態）を容易に認識することができる。これにより、ユーザは、無線を介した大きな容量のデータのダウンロードを伴うアプリケーションの起動を、今実行すべきなのか、あるいは、移動経路上の任意の地点で実行すべきなのかを容易に判断することができる。
【００８７】
なお、画面４１０および画面４２０では、数値および線種により干渉指標を表示する例について説明したが、これに限定されるものではなく、例えば、干渉の大きさを想起させるアイコンなどで表現することも考えられる。また、干渉指標のユーザへの表示は、地図情報に併せて表示させる方法だけではない。他に、干渉の増減を表すテキスト、あるいは、干渉の増減を想起するアイコンを用いて、予測経路を移動するに従って今後の干渉が増加するか、若しくは、減少するかをユーザに示すようにすることも考えられる。
【００８８】
また、画面４１０および画面４２０の表示タイミングについては図６および図７において触れなかったが、例えば、常時表示する場合や、アプリケーション（例えば、ブラウザ）を起動させるタイミングに同期して表示を開始する場合などが考えられる。また、同期したアプリケーションを終了した際には、画面４１０および画面４２０の表示を止めてもよいし、表示画面の一部に表示を継続してもよい。
【００８９】
［無線通信装置の動作例］
次に、本技術の第１の実施の形態における無線通信装置２００の動作について図面を参照して説明する。
【００９０】
図８は、本技術の第１の実施の形態における無線通信装置２００によって干渉指標付予測経路が生成される際の干渉指標付予測経路生成処理手順例を示すフローチャートである。なお、図８では、新たなパイロット信号レベルが検出されてから干渉指標付予測経路が表示部３７０に表示されるまでの干渉指標付予測経路の生成における１回の動作について説明する。
【００９１】
まず、パイロット信号検出部２２０によって、サービングセルおよび周辺セルのパイロット信号が検出される（ステップＳ９０１）。なお、このステップＳ９０１の際に、サービングセルおよび周辺セルのパイロット信号のレベルもそれぞれ検出される。
【００９２】
そして、検出されたパイロット信号レベルが、スクランブルコードと関連付け（紐付け）られて、パイロット信号レベル情報としてパイロット信号レベル保持部２５０に保持される（ステップＳ９０２）。続いて、パイロット信号レベル保持部２５０に保持されたパイロット信号レベルに基づいて、干渉指標が干渉指標生成部２８０により生成される（ステップＳ９０３）。この干渉指標の生成は、例えば、図４の説明において示した式１を用いて生成される。
【００９３】
次に、干渉指標の検出した位置（干渉指標の基となったパイロット信号を検出した位置）が位置情報取得部３１０により取得される（ステップＳ９０４）。そして、干渉指標生成部２８０が生成した干渉指標と、位置情報取得部３１０が取得した位置（位置情報）とが関連付けられて、干渉指標情報として干渉指標情報保持部３２０に保持される（ステップＳ９０５）。
【００９４】
また、位置情報取得部３１０が取得した位置情報が、現在までの位置情報の履歴（移動履歴）として位置情報履歴保持部３３０に時系列順に保持される（ステップＳ９０６）。その後、位置情報履歴保持部３３０に保持された移動経路に基づいて、今後の予測経路が移動経路予測部３４０により生成される（ステップＳ９０７）。そして、移動経路予測部３４０により生成された予測経路に基づいて、この予測経路の位置または予測経路付近の位置と紐付けられている干渉指標が干渉指標情報保持部３２０から取得される（ステップＳ９０８）。その後、予測経路上の各位置における干渉指標が干渉指標予測部３５０により予測される（ステップＳ９０９）。なお、ステップＳ９０８は、特許請求の範囲に記載の取得手順の一例である。また、ステップＳ９０９は、特許請求の範囲に記載の生成手順の一例である。
【００９５】
そして、予測経路上の干渉指標を予測経路と共に表示するための表示画像が生成された後に（ステップＳ９１０）、この表示画像が表示部３７０に表示されて（ステップＳ９１１）、干渉指標付予測経路生成処理手順は終了する。
【００９６】
このように、本技術の第１の実施の形態によれば、予測経路上の干渉指標を予測して、この予測した干渉指標を予測経路とともに表示することができる。すなわち、無線通信における通信状態を取得して、この通信状態をユーザに通知することができる。
【００９７】
なお、パイロット信号は基地局から常に発信されているため、無線通信装置２００は、通信の待ち受け状態などにおいて接続候補として検出した基地局との無線通信における干渉指標を生成することができる。すなわち、普段の待ち受け状態の際に検出しているパイロット信号から干渉指標情報を生成することができるため、干渉指標情報を生成する際の無線通信装置の負担を軽減させることができる。
【００９８】
＜３．本技術の第２の実施の形態＞
本技術の第１の実施の形態では、干渉指標生成部２８０が生成した干渉指標に位置情報取得部３１０が取得した位置情報を紐付けた干渉指標情報を干渉指標情報保持部３２０に保持する例について説明した。この例では、干渉指標情報保持部３２０は、無線通信装置２００が在園したことのある位置の干渉指標だけが干渉指標情報保持部３２０に保持される。すなわち、移動経路予測部３４０が予測した移動経路が無線通信装置２００の通過（在園）したことのない経路の場合には、この経路付近における干渉指標のデータが干渉指標情報保持部３２０にないため、干渉指標予測部３５０は予測経路における干渉指標を適切に予測することができない。
【００９９】
そこで、本技術の第２の実施の形態では、予測経路上の干渉指標を予測するために必要な干渉指標情報が干渉指標情報保持部３２０にない場合には、干渉指標を保持するサーバから干渉指標情報を取得する例について、図９を参照して説明する。
【０１００】
［無線通信システムの構成例］
図９は、本技術の第２の実施の形態における通信システム５００の構成例を示すブロック図である。
【０１０１】
通信システム５００は、無線通信装置５１０と、基地局１６０と、公衆回線網１７０と、サーバ６００を備える。なお、基地局１６０は、図３において示したものと同様のものであるため、ここでの説明を省略する。
【０１０２】
無線通信装置５１０は、図３において示した無線通信装置２００の変形例であり、無線通信装置２００の各構成に加えて、送信干渉指標情報生成部５２０と、干渉指標情報受信部５３０とを備える。また、無線通信装置５１０は、図３において示した干渉指標予測部３５０に、サーバ６００が保持する干渉指標情報を取得する機能を加えた干渉指標予測部（干渉指標予測部５５０）を備える。ここでは、送信干渉指標情報生成部５２０と、干渉指標情報受信部５３０と、干渉指標予測部５５０とに着目して説明する。
【０１０３】
送信干渉指標情報生成部５２０は、無線通信装置５１０が検出した干渉指標を、干渉指標情報を保持するサーバ（サーバ６００）に送信するものである。この送信干渉指標情報生成部５２０は、少なくとも、干渉指標生成部２８０が生成した干渉指標と、位置情報取得部３１０が生成した位置情報とを紐付けた情報（干渉指標情報）を、サーバ６００に送信する。送信干渉指標情報生成部５２０は、送信する干渉指標情報を生成し、この生成した干渉指標情報を通信部２１０に送信する。そして、通信部２１０は、無線通信（無線回線１６１）を介して基地局１６０に干渉指標情報を送信する。その後、基地局１６０が公衆回線網（公衆回線網１７０）を経由してサーバ６００に干渉指標情報を送信して、送信干渉指標情報生成部５２０が生成した干渉指標情報がサーバ６００に受信される。
【０１０４】
なお、送信干渉指標情報生成部５２０が生成した干渉指標情報をサーバ６００に送信するタイミングについては、サーバ６００がリアルタイムで干渉指標情報を使用する訳ではないため、固定のタイミングであっても可変のタイミングであってもよい。可変のタイミングであってもよいため、無線通信品質の良いエリアでは送信頻度を増やして、無線通信品質の良くないエリアでは送信頻度を減らす等の無線通信の負担を軽減させることが可能である。例えば、無線通信品質の良いエリアに在圏するまで、送信干渉指標情報生成部５２０が生成した干渉指標情報を一時的に保存し、無線通信品質の良いエリアに在圏したタイミングにおいてまとめてサーバ６００に送信する方法などが考えられる。
【０１０５】
干渉指標予測部５５０は、図３において示した干渉指標予測部３５０と同様に、移動経路予測部３４０から供給された予測経路上における干渉指標を算出するものである。なお、干渉指標予測部５５０は、予測経路上における干渉指標を算出するために必要な干渉指標情報が干渉指標情報保持部３２０に保持されていない場合には、サーバ６００から干渉指標情報を取得するための情報（取得情報）を生成する。この取得情報には、少なくとも、予測経路の位置情報（経度、緯度）が含まれる。
【０１０６】
干渉指標予測部５５０は、生成した取得情報を、通信部２１０に供給し、通信部２１０から無線回線１６１を介してサーバ６００へ送信させる。そして、取得情報に基づいて取得された干渉指標情報が干渉指標情報受信部５３０から供給された場合には、その干渉指標情報を用いて干渉指標を算出する。すなわち、干渉指標予測部５５０は、干渉指標情報保持部３２０に保持されている干渉指標情報と、サーバ６００から供給された干渉指標情報と、移動経路予測部３４０が生成した予測経路とに基づいて、干渉指標付予測経路を生成する。
【０１０７】
干渉指標情報受信部５３０は、干渉指標予測部５５０が生成した取得情報に基づいてサーバ６００から送信された干渉指標情報を受信するものである。この干渉指標情報受信部５３０は、受信した干渉指標情報を干渉指標予測部５５０に供給する。また、干渉指標情報受信部５３０は、受信した干渉指標情報を干渉指標情報保持部３２０に供給し、干渉指標情報保持部３２０に保持させる。
【０１０８】
公衆回線網１７０は、電話網、インターネット等の公衆回線網である。
【０１０９】
サーバ６００は、干渉指標情報を保持し、無線通信装置５１０からの干渉指標情報の取得要求（取得情報）に応じて保持する干渉指標情報を無線通信装置５１０に供給するためのサーバである。また、サーバ６００は、無線通信装置５１０から送信された干渉指標情報を保持するためのサーバでもある。サーバ６００は、通信部６１０と、干渉指標情報保持部６２０とを備える。
【０１１０】
通信部６１０は、公衆回線網１７０を介して通信を行うものである。この通信部２１０は、無線通信装置５１０から送信された取得情報に基づいて、干渉指標情報保持部６２０に保持する干渉指標情報を無線通信装置５１０に送信する。通信部６１０は、取得情報を受信した場合には、その取得情報に含まれている位置（予測経路の位置）付近の位置に紐付けられている干渉指標を検出する。そして通信部６１０は、検出された干渉指標を、紐付けられている位置とともに（すなわち、干渉指標情報を）、無線通信装置５１０に送信する。
【０１１１】
また、通信部６１０は、無線通信装置５１０から送信された干渉指標情報を干渉指標情報保持部６２０に保持する。この保持する際において、送信された干渉指標情報と同じ位置の干渉指標情報を既に保持している場合には、干渉指標情報の更新が行われる。更新方法は様々なものがあるが、例えば、前のデータを新たなデータで置き換える方法や、重み付けした上で平均値を保存する方法などが考えられる。すなわち、複数の無線通信装置５１０から送信された干渉指標情報を干渉指標情報保持部６２０に蓄積することにより、干渉指標に関するデータベースを構築することができる。
【０１１２】
干渉指標情報保持部６２０は、無線通信装置５１０が送信した干渉指標情報を保持するものである。すなわち、この干渉指標情報保持部６２０は、複数の無線通信装置５１０から送信された干渉指標情報に基づいて、干渉指標のデータベースを保持する。
【０１１３】
［無線通信装置の動作例］
次に、本技術の第２の実施の形態における無線通信装置５１０の動作について図面を参照して説明する。
【０１１４】
図１０は、本技術の第２の実施の形態における無線通信装置５１０によって干渉指標付予測経路が生成される際の干渉指標付予測経路生成処理手順例を示すフローチャートである。
【０１１５】
なお、図１０に示すフローチャートは、図８に示すフローチャートの変形例であり、サーバ６００から干渉指標情報を取得する点が異なる。そこで、図１０では、図８と共通する部分については、図８と同一の符号を付してここでの説明を省略する。
【０１１６】
ステップＳ９０７において予測経路が移動経路予測部３４０により生成されると、干渉指標予測部５５０は、予測経路の位置または予測経路付近の位置と紐付けられている干渉指標が干渉指標情報保持部３２０に保持されているか否かを判断する（ステップＳ９２１）。そして、この干渉指標が干渉指標情報保持部３２０に保持されていると判断された場合には（ステップＳ９２１）、ステップＳ９０８に進む。
【０１１７】
一方、予測経路の位置または予測経路付近の位置と紐付けられている干渉指標が干渉指標情報保持部３２０に保持されていないと判断された場合には（ステップＳ９２１）、サーバ６００から干渉指標情報を取得するための情報（取得情報）が生成される（ステップＳ９２２）。
【０１１８】
そして、生成された取得情報がサーバ６００へ送信された後に（ステップＳ９２３）、その送信された取得情報に基づいてサーバ６００が送信した干渉指標情報を受信したか否かが、干渉指標情報受信部５３０により判断される（ステップＳ９２４）。そして、サーバ６００が送信した干渉指標情報を受信していないと判断された場合には（ステップＳ９２４）、干渉指標情報を受信するまで待機する。
【０１１９】
一方、サーバ６００が送信した干渉指標情報を受信したと判断された場合には（ステップＳ９２４）、その受信した干渉指標情報が干渉指標情報保持部３２０に保持される（ステップＳ９２５）。また、受信した干渉指標情報が干渉指標予測部５５０に供給され、予測経路の位置または予測経路付近の位置と紐付けられた干渉指標を干渉指標予測部５５０が取得する（ステップＳ９０８）。なお、ステップＳ９０８以降は図８と同様のものであるため、ここでの説明を省略する。
【０１２０】
このように、本技術の第２の実施の形態によれば、干渉指標情報を保持するサーバを設けることにより、無線通信装置が通過（在園）したことがない移動経路においても、適切に干渉指標を予測することができる。
【０１２１】
また、サーバに干渉指標情報を保持させるため、干渉指標生成部２８０を備えていない無線通信装置（例えば、従来の携帯電話）についても、無線通信装置の位置が送信可能であれば、サーバから干渉指標情報を取得することができる。すなわち、干渉指標生成部２８０を備えていない無線通信装置にサーバから干渉指標情報を取得するアプリケーションをインストールすることにより、干渉指標を検出できない無線通信装置に対しても干渉指標を用いるサービスを提供することができる。
【０１２２】
＜４．本技術の第３の実施の形態＞
本技術の第２の実施の形態では、予測経路の位置または予測経路付近の位置と紐付けられている干渉指標が干渉指標情報保持部３２０に保持されていない場合において、干渉指標情報を保持するサーバから干渉指標情報を取得する例について説明した。しかしながら、これに限定されるものではなく、例えば、予測経路の生成や予測経路における干渉指標の予測などもサーバに行わせる場合も考えられる。
【０１２３】
そこで、本技術の第３の実施の形態では、無線通信装置５１１が送信した位置情報に基づいて、予測経路および予測経路上の干渉指標をサーバが算出する例について、図１１および図１２を参照して説明する。
【０１２４】
［無線通信システムの構成例］
図１１は、本技術の第３の実施の形態における通信システム５０１の無線通信装置５１１の構成例を示すブロック図である。
【０１２５】
通信システム５０１は、無線通信装置５１１と、基地局１６０と、公衆回線網１７０と、サーバ６０１とを備える。なお、基地局１６０は、図３において示したものと同様のものであるため、ここでの説明を省略する。また、サーバ６０１については、図１２において詳細に説明するため、ここでの説明を省略する。
【０１２６】
無線通信装置５１１は、図９において示した無線通信装置５１０の変形例であり、送信干渉指標情報生成部５２０に代えて、送信データ生成部５６０を備える。また、無線通信装置５１１は、無線通信装置５１０の干渉指標情報受信部５３０に代えて、予測情報取得部５７０を備える。また、無線通信装置５１１は、無線通信装置５１０の干渉指標情報保持部３２０と、位置情報履歴保持部３３０と、移動経路予測部３４０と、干渉指標予測部３５０とを備えていない。ここでは、送信データ生成部５６０および予測情報取得部５７０に着目して説明する。
【０１２７】
送信データ生成部５６０は、位置情報取得部３１０が取得した位置情報を、その位置情報を取得した時間とともに、サーバ（サーバ６０１）に送信するものである。この取得した時間が紐付けられた位置情報（取得時間付位置情報）は、サーバ６０１において、無線通信装置５１１の位置情報の履歴を管理するために用いられる。
【０１２８】
なお、本技術の第３の実施の形態では、干渉指標生成部２８０が生成した干渉指標についても、取得時間付位置情報とともにサーバ６０１に送信される。すなわち、送信データ生成部５６０は、少なくとも、位置情報と、位置情報を取得した時間と、位置情報を取得したタイミングにおいて生成された干渉指標とが紐付けられたデータをサーバ６０１に送信する。送信される干渉指標は、図９で示したサーバ６００と同様に、サーバ６０１において干渉指標情報（位置情報が紐付けられた干渉指標）のデータベースを更新するために用いられる。
【０１２９】
なお、送信データ生成部５６０による取得時間付位置情報の送信タイミングについては、干渉指標付予測経路を供給して欲しいタイミングまでに無線通信装置５１１の移動履歴がサーバ６０１に保持されていればよい。このため、取得時間付位置情報の送信タイミングについては、固定のタイミングであっても可変のタイミングであってもよい。可変のタイミングであってもよいため、無線通信品質の良いエリアでは送信頻度を増やして、無線通信品質の良くないエリアでは送信頻度を減らす等の通信の負担を軽減させる処理が可能である。また、干渉指標付予測経路を供給して欲しいタイミングにおいて、まとめて送信することも可能である。
【０１３０】
また、干渉指標については、データベースの更新のために用いられるため、取得時間付位置情報とは別に送信することも可能である。すなわち、取得時間が紐付けられた位置情報（取得時間付位置情報）と、取得位置が紐付けられた干渉指標（干渉指標情報）とを別々に送信することも可能である。例えば、取得時間付位置情報は固定のタイミングもしくは可変のタイミングで送信し、干渉指標情報は無線通信品質の良いエリアでまとめて送信することにより、通信における負担を軽減させることができる。
【０１３１】
予測情報取得部５７０は、サーバ６０１が生成した干渉指標付予測経路のデータ（予測情報）を受信するものである。この予測情報取得部５７０は、予測情報が必要な場合には、予測要求をサーバ６０１へ送信する。そして、予測情報取得部５７０は、予測要求に応じてサーバ６０１が送信した予測情報を受信して、受信した予測情報に基づいて、干渉指標付の予測経路を表す表示画像を生成し、この表示画像を表示部３７０に表示させる。
【０１３２】
図１２は、本技術の第３の実施の形態における通信システム５０１のサーバ６０１の構成例を示すブロック図である。
【０１３３】
サーバ６０１は、通信部６１０と、干渉指標情報保持部６２０と、位置情報履歴保持部６３０と、移動経路予測部６４０と、干渉指標予測部６５０と、予測情報生成部６６０とを備える。
【０１３４】
通信部６１０は、図９のサーバ６００の通信部６１０と同様に、公衆回線網１７０を介して通信を行うものである。この通信部６１０は、干渉指標が紐付けられた取得時間付位置情報を受信すると、干渉指標および位置情報を干渉指標情報保持部６２０に供給し、取得時間および位置情報を位置情報履歴保持部６３０に供給する。また、通信部６１０は、無線通信装置５１１が送信した予測要求を受信した場合には、移動経路予測部６４０と、干渉指標予測部６５０と、予測情報生成部６６０とに、予測情報を送信するための各処理を開始させる。
【０１３５】
位置情報履歴保持部６３０は、無線通信装置から供給される取得時間付位置情報を無線通信装置ごと（ユーザごと）に保持して、無線通信装置ごとの位置情報の履歴（移動履歴）を保持するものである。すなわち、位置情報履歴保持部６３０は、図３において示した位置情報履歴保持部３３０に対応する。位置情報履歴保持部６３０は、予測要求を送信した無線通信装置５１１の移動経路を移動経路予測部６４０が予測する場合には、その無線通信装置５１１の移動履歴を移動経路予測部６４０に供給する。なお、位置情報履歴保持部６３０は、特許請求の範囲に記載の位置情報保持部の一例である。
【０１３６】
移動経路予測部６４０は、予測情報の生成対象の無線通信装置の移動履歴に基づいて、今後の移動経路の予測を行うものである。移動経路予測部６４０は、サーバ６０１が無線通信装置５１１からの予測要求を受信した場合には、位置情報履歴保持部６３０に保持されている移動履歴のうち、予測要求を送信した無線通信装置５１１の移動履歴を取得する。そして、移動経路予測部６４０は、その取得した移動履歴を用いて、予測要求を送信した無線通信装置５１１の今後の移動経路を予測する。すなわち、移動経路予測部６４０は、図３の移動経路予測部３４０に対応する。この移動経路予測部６４０は、予測経路を、干渉指標予測部６５０に供給する。
【０１３７】
干渉指標予測部６５０は、移動経路予測部６４０から供給された予測経路上における干渉指標を、干渉指標情報保持部６２０から取得した干渉指標に基づいて算出するものである。すなわち、干渉指標予測部６５０は、図３の干渉指標予測部３５０に対応する。干渉指標予測部６５０は、生成した干渉指標付予測経路を、予測情報生成部６６０に供給する。なお、干渉指標予測部６５０は、特許請求の範囲に記載の取得部および生成部の一例である。
【０１３８】
予測情報生成部６６０は、干渉指標予測部６５０から供給された干渉指標付予測経路に基づいて、干渉指標付予測経路の送信対象の無線通信装置５１１に送信するデータ（予測情報）を生成するものである。例えば、予測情報生成部６６０は、無線通信装置５１１が地図を表示するために必要なデータ（地図データ）を保持している場合には、予測情報として、予測経路を示す各位置にその位置の干渉指標を紐付けたデータを無線通信装置５１１に送信する。また、予測情報生成部６６０は、無線通信装置５１１が地図データを保持していない場合には、表示させる地図に予測経路および干渉指標を記載した画像データ（例えば、図６および図７の表示画面の画像データ）を予測情報として生成する。また、予測情報生成部６６０は、地図を介さずに予測経路の干渉指標をユーザに通知する場合には、干渉の増減を表すテキスト、あるいは、干渉の増減を想起するアイコンなどを表示させるための情報を予測情報として生成してもよい。このように、予測情報生成部６６０は、無線通信装置５１１が備えている機能に合わせて予測情報を生成する。
【０１３９】
そして、予測情報生成部６６０は、生成した予測情報を通信部６１０に供給する。その後、予測情報は、通信部６１０から送信されて、公衆回線網１７０を経由して無線通信装置５１１に受信される。
【０１４０】
このように、本技術の第３の実施の形態によれば、干渉指標情報を保持するサーバにおいて移動経路の予測および移動経路上の干渉指標の予測を行うことにより、無線通信装置における処理の負担を軽減することができる。また、サーバにおいて予測処理を行うため、本技術の第２の実施の形態と同様に、干渉指標生成部２８０を備えていない無線通信装置に対しても干渉指標を用いるサービスを提供することができる。なお、本技術の第３の実施の形態では、無線通信装置５１１自身の移動履歴から予測経路を算出する例について説明したが、これに限定されるものではない。自身の移動履歴だけでなく、さらに、位置情報履歴保持部６３０に保持されている他の無線通信装置５１１の移動履歴を活用してもよい。これにより、移動履歴のないエリアに在圏する任意の無線通信装置５１１に対しても、予測経路上の干渉指標の予測を提供することが可能になる。
【０１４１】
＜５．本技術の第４の実施の形態＞
本技術の第１乃至第３の実施の形態では、予測経路上における干渉指標をユーザに表示して、予測経路上における干渉の度合い（干渉指標）をユーザに通知する例について説明した。これにより、ユーザは、予測経路上における無線通信品質を知ることができる。そして、ユーザは無線通信品質から通信速度を推定することができるが、通信速度は、干渉の度合いの影響のみにより決定されるものではない。すなわち、予測経路上の通信速度を表示できるとより便利であることが考えられる。
【０１４２】
そこで、本技術の第４の実施の形態では、予測経路上の通信速度を算出する例について、図１３を参照して説明する。
【０１４３】
［無線通信装置の構成例］
図１３は、本技術の第４の実施の形態における無線通信装置７１０の構成例を示すブロック図である。
【０１４４】
なお、図１３では、説明の便宜上、予測経路の距離は、サービングセルが変わらない距離であることを想定する。また、予測経路付近における干渉指標情報は、干渉指標情報保持部３２０に全て保持されていることを想定する。なお、干渉指標情報が干渉指標情報保持部３２０に全て保持されていない場合については、図９の本技術の第２の実施の形態のように、サーバから取得することにより対応することができる。また、サービングセルが変わるほど予測経路が長い場合に対応できる無線通信装置については、本技術の第５の実施の形態として説明する。
【０１４５】
無線通信装置７１０は、図３において示した無線通信装置２００の各構成に加えて、信号混雑度生成部７２０と、サービングセル混雑度生成部７３０と、通信速度予測部７４０とを備える。なお、信号混雑度生成部７２０、サービングセル混雑度生成部７３０および通信速度予測部７４０以外の各構成は、図３において示したものと同様のものであるため、同一の符号を付してここでの説明を省略する。
【０１４６】
なお、無線通信装置７１０では、干渉指標生成部２８０が生成する干渉指標は、サービングセル混雑度生成部７３０にも供給される。また、干渉指標予測部３５０が生成する干渉指標付予測経路は、通信速度予測部７４０に供給される。
【０１４７】
信号混雑度生成部７２０は、無線通信装置７１０が受信する無線信号のうちの無線通信装置７１０の通信速度に影響を与える信号の度合いを示す情報を生成するものである。通信速度に影響を与える要素としては、周辺セルからの干渉の度合いや、周辺セルにおける混雑の度合いや、サービングセルにおける混雑の度合いが含まれている。なお、ここでは、この情報を、信号混雑度と称することとする。この信号混雑度は、接続対象の基地局に接続するユーザ数（サービングセルの混雑の度合い）、周辺セルからの干渉の度合いまたは周辺セルでの混雑の度合いが大きくなると値が大きくなる。信号混雑度生成部７２０は、サービングセルの初期選択（３段セルサーチ）や、サービングセルの再選択の際に行われる相関検出において相関が検出されたスクランブルコードの相関出力のうち、最も大きい相関出力をパイロット信号検出部２２０から取得する。また、信号混雑度生成部７２０は、この相関検出において相関が検出されたスクランブルコードの相関出力のうち、最も小さい相関出力もパイロット信号検出部２２０から取得する。
【０１４８】
そして、信号混雑度生成部７２０は、取得した２つの相関出力に基づいて信号混雑度を算出し、算出した信号混雑度をサービングセル混雑度生成部７３０に供給する。
【０１４９】
ここで、信号混雑度の算出方法について説明する。なお、本技術の第４の実施の形態では、サービングセルおよび周辺セルについては、図４と同様であることを想定して説明する。すなわち、本技術の第４の実施の形態では、１つのサービングセルと６つの周辺セルとからの無線信号を受信しており、また、周辺セルのうちの６番目のセル（＃６）からの無線信号が最も弱いことを想定する。
【０１５０】
信号混雑度（ｋｃｏｎｇ（ｗ））は、例えば、次の式２を用いて算出される。
【数２】
0006293400.tif 000003
ここで、ａは、相関検出において相関が検出されたスクランブルコードの相関出力のうちの最も大きい相関出力である。すなわち、相関出力ａは、サービングセルに割り当てられているスクランブルコードの相関出力を示す。また、ｂは、相関検出において相関が検出されたスクランブルコードの相関出力のうちの最も小さい相関出力である。すなわち、ｂは、無線通信装置５１０が無線信号を受信可能な周辺セルのうちの、無線信号が最も弱い周辺セルに割り当てられているスクランブルコードの相関出力を示す。
【０１５１】
上述の式２に示すように、信号混雑度生成部７２０は、相関出力ａと相関出力ｂとの比に基づいて信号混雑度ｋｃｏｎｇ（ｗ）を生成する。上述の式２を用いて算出された信号混雑度ｋｃｏｎｇ（ｗ）は、基地局に接続するユーザ数（サービングセルの混雑の度合い）や周辺セルからの干渉の度合いが大きくなると、値が大きくなる。なお、値が大きくなる理由については、式４および式５を参照して後で説明するため、ここでの説明を省略する。
【０１５２】
なお、信号混雑度ｋｃｏｎｇ（ｗ）は、上述の式２を用いて算出する他に、受信信号強度（ＲＳＳＩ）と相関出力ａとの比や、受信信号強度（ＲＳＳＩ）をパイロット信号の拡散率で除した値と相関出力ａとの比などを用いて算出することもできる。
【０１５３】
サービングセル混雑度生成部７３０は、サービングセルが送信する無線信号における混雑の度合いを示す情報（セル混雑度）を生成するものである。すなわち、サービングセル混雑度生成部７３０は、サービングセルが送信する無線信号のうちの無線通信装置７１０の通信速度に影響を与える信号の度合いを示す情報をセル混雑度として生成する。サービングセル混雑度生成部７３０は、信号混雑度生成部７２０から供給された信号混雑度と、干渉指標生成部２８０から供給された干渉指標とに基づいて、セル混雑度を算出する。サービングセル混雑度生成部７３０は、周辺セルからの干渉の成分と、周辺セルにおける混雑の度合いの成分とを信号混雑度から除くことによりセル混雑度を算出する。そして、サービングセル混雑度生成部７３０は、算出したセル混雑度を、通信速度予測部７４０に供給する。なお、サービングセル混雑度生成部７３０は、特許請求の範囲に記載の基地局混雑度生成部の一例である。
【０１５４】
ここで、セル混雑度の算出方法について説明する。セル混雑度（ｋｃｏｎｇ（ｃ））は、例えば、次の式３を用いて算出される。
【数３】
0006293400.tif 000004
なお、式３において用いられている各変数は、式１および式２において示したものと同様のものであるため、ここでの説明を省略する。また、式３以降においても、既に示した式において説明したものと同様のものについては、説明を省略する。
【０１５５】
この式３を用いることにより、信号混雑度ｋｃｏｎｇ（ｗ）と、干渉指標ｋｉｆとに基づいて、サービングセルの混雑度を算出することができる。
【０１５６】
ここで、式３によりセル混雑度ｋｃｏｎｇ（ｃ）が算出される原理について説明する。
【０１５７】
まず、セル混雑度ｋｃｏｎｇ（ｃ）について説明する。セル混雑度ｋｃｏｎｇ（ｃ）は、サービングセルに接続して通信を行っているユーザの数が多いほど、大きくなる値である。通信を行っているユーザの数については、無線信号においてデータを多重化するチャネル（高速下りリンク共有チャネル：ＨＳ−ＤＳＣＨ：High Speed-Downlink Shared CHannel）のレベルを用いることにより推測することができる。ここで、サービングセルのＨＳ−ＤＳＣＨの信号レベルを真数に変換した値をＰＤＳＣＨｓｅｒｖとすると、セル混雑度ｋｃｏｎｇ（ｃ）は、例えば、次の式４により表すことができる。
【数４】
0006293400.tif 000005
【０１５８】
なお、無線通信装置７１０は、ＨＳ−ＤＳＣＨの信号レベルのみを分離検出する機能を備えていない。そのため、サービングセル混雑度生成部７３０は、セル混雑度にさらに干渉の影響なども含まれている混雑度である信号混雑度ｋｃｏｎｇ（ｗ）から干渉の影響を除く計算（式３）により、セル混雑度ｋｃｏｎｇ（ｃ）を算出する。
【０１５９】
次に、信号混雑度（ｋｃｏｎｇ（ｗ））の算出に用いられる相関出力ａおよび相関出力ｂについて説明する。相関出力ａは、最もパイロット信号レベルが高いスクランブルコードの相関出力であるため、相関検出において相関出力ａの生成に寄与する信号は、サービングセルのパイロット信号が大部分を占めていると考えることができる。そこで、相関出力ａは、次の式５のように表すことができる。
【数５】
0006293400.tif 000006
【０１６０】
また、相関出力ｂは、最もパイロット信号レベルが弱いスクランブルコードの相関出力であるため、相関検出において相関出力ｂの生成に寄与する無線信号は、そのスクランブルコードが割り当てられた基地局のパイロット信号だけではないと考えることができる。パイロット信号レベルが弱いため、その基地局からのＨＳ−ＤＳＣＨ信号レベルや、他の基地局からのパイロット信号レベルや、他の基地局からのＨＳ−ＤＳＣＨ信号レベルなどが影響して相関出力ｂが生成されると考えることができる。そこで、相関出力ｂは、次の式６のように表すことができる。
【数６】
0006293400.tif 000007
ここで、Ｐｔｏｔａｌは、相関算出の際に相関の検出対象の無線信号のレベルを真数に変換した値である。すなわち、Ｐｔｏｔａｌは、サービングセルおよび周辺セルからの無線信号の総和のレベルの真数の値である。また、ＳＦは、パイロット信号の拡散率である。また、ＰＤＳＣＨｓｅｒｖは、サービングセルからの無線信号におけるＨＳ−ＤＳＣＨ信号レベルを真数に変換した値である。また、ＰＤＳＣＨｎｅｉｇｈｂ＃１乃至ＰＤＳＣＨｎｅｉｇｈｂ＃６は、６つの周辺セルそれぞれのＨＳ−ＤＳＣＨ信号レベルを真数に変換した値を示す。なお、本技術の実施の形態では、計算の都合上、制御チャンネル等の信号レベルはＨＳ−ＤＳＣＨ信号レベルに含まれていることとする。
【０１６１】
上述の式６に示すように、相関出力ｂは、最も低いパイロット信号レベル（ＰＣＰＩＣＨｎｅｉｇｈｂ＃６）に、その他の信号の影響（拡散率ＳＦが分母である分数の箇所）を加算した値により表すことができる。なお、上述の式６に示すように、相関出力ｂは、無線通信装置が受ける干渉の度合いが増加（周辺セルのパイロット信号レベルＰＣＰＩＣＨｎｅｉｇｈｂ＃１乃至ＰＣＰＩＣＨｎｅｉｇｈｂ＃６が増加）すると大きくなる。また、相関出力ｂは、セルに接続して通信を行っているユーザの数が増加（ＰＤＳＣＨｓｅｒｖおよびＰＤＳＣＨｎｅｉｇｈｂ＃１乃至ＰＤＳＣＨｎｅｉｇｈｂ＃６が増加）すると大きくなる。すなわち、信号混雑度ｋｃｏｎｇ（ｗ）についても、干渉の度合いやユーザの数が増加すると値が大きくなる。
【０１６２】
上述の相関出力ａおよび相関出力ｂが上述の式５および式６で表せることから、上述の式４から式３が導き出される。すなわち、信号混雑度ｋｃｏｎｇ（ｗ）および干渉指標ｋｉｆからセル混雑度ｋｃｏｎｇ（ｃ）を算出することができる。
【０１６３】
ここで、式４から式３を導き出す過程を説明する。まず、上述の式２に、上述の式５および式６を代入する。この代入の結果、上述の式２は、次の式７に変形される。なお、この代入において、最も低いパイロット信号レベルの真数の値ＰＣＰＩＣＨｎｅｉｇｈｂ＃６は、非常に小さいことが想定されるため、「０」であることを仮定する。
【数７】
0006293400.tif 000008
【０１６４】
次に、この式７において、セル（基地局）における混雑度は、どのセルにおいても同程度であることを仮定する。この場合には、ＨＳ−ＤＳＣＨ信号レベルは、各セルにおいて発信されるタイミングでは同じ信号レベルであると仮定される。同じ信号レベルであると仮定されるＨＳ−ＤＳＣＨ信号は、パイロット信号と同様の減衰をすることが考えられるため、上述の式１に基づいて次の式８を仮定することができる。
【数８】
0006293400.tif 000009
【０１６５】
そして、上述の式７を上述の式８を用いて変形すると、次の式９が求められる。
【数９】
0006293400.tif 000010
【０１６６】
そして、この式９を、セル混雑度ｋｃｏｎｇ（ｃ）を求める式に変形すると、上述の式３となる。
【０１６７】
なお、ここでは、セル（基地局）における混雑度は、どのセルにおいても同程度であることを仮定した。この仮定は、ある程度長い時間における混雑度の平均値を求める場合に適用することができる。しかしながら、瞬間の混雑度を用いる場合には、この仮定が成立しないことが想定される。特に、周辺セルが一時的に混雑している場合には、干渉の度合いが上昇して周辺セルからの影響が大きくなり、式３の算出結果とずれてしまう。
【０１６８】
周辺セルが混雑している場合にセル混雑度ｋｃｏｎｇ（ｃ）を適切に算出するためには、どのセルにおいても混雑度が同程度であると仮定せずに、セルごとの混雑度を用いて計算する必要がある。この計算は、本技術の第５の実施の形態において行うことが可能である。そこで、セルごとの混雑度を用いて計算する例については、図１８を参照して説明し、ここでの説明を省略する。
【０１６９】
通信速度予測部７４０は、通信速度を予測するものである。この通信速度予測部７４０は、サービングセル混雑度生成部７３０から供給されたセル混雑度と、予測経路上の干渉指標とに基づいて、予測経路上における通信速度を予測する。すなわち、通信速度予測部７４０は、予測経路の各位置を通信速度の検出の対象エリアとして、この対象エリアにおける通信状態（通信速度）を予測する。例えば、通信速度予測部７４０は、図６に示すように予測経路上に干渉指標が異なる４つの区間がある場合には、その４つの区間の通信速度をそれぞれ予測する。また、通信速度予測部７４０は、現在の予測通信速度を算出する場合には、信号混雑度生成部７２０から供給された信号混雑度に基づいて現在の通信速度を予測する。そして、通信速度予測部７４０は、予測した通信速度（予測通信速度）を表示画像生成部３６０に供給し、表示部３７０に表示させる。なお、通信速度予測部７４０は、特許請求の範囲に記載の生成部の一例である。
【０１７０】
ここで、予測通信速度の算出方法について説明する。予測通信速度は無線通信品質に依存するため、例えば、ＳＩＲ（Signal to Interference Ratio）から算出することができる。なお、ＳＩＲは、例えば、次の式１０から算出される。
【数１０】
0006293400.tif 000011
【０１７１】
上述の式１０に示すように、ＳＩＲは、信号混雑度ｋｃｏｎｇ（ｗ）を用いて算出することができる。なお、信号混雑度ｋｃｏｎｇ（ｗ）には干渉の影響が含まれているため、サービングセルが同じであっても、干渉指標の値が異なれば（位置が異なれば）値が変わる。すなわち、予測した移動経路においてサービングセルが切り替わらない場合においても、現在位置の信号混雑度ｋｃｏｎｇ（ｗ）を用いて他の位置のＳＩＲを求めることはできない。
【０１７２】
そこで、通信速度予測部７４０は、サービングセル混雑度生成部７３０から供給されたセル混雑度と、干渉指標予測部３５０から供給された予測経路上の干渉指標とに基づいて、予測経路上（他の位置）の信号混雑度を算出する。そして、通信速度予測部７４０は、算出した予測経路上の信号混雑度を用いて、予測経路上のＳＩＲを算出する。
【０１７３】
なお、予測経路上の信号混雑度ｋｃｏｎｇ（ｗ）は、例えば、次の式１１を用いて算出される。なお、次の式１１における干渉指標ｋｉｆは、干渉指標予測部３５０が予測した予測経路上の干渉指標である。
【数１１】
0006293400.tif 000012
【０１７４】
上述の式１１に示すように、式３を変形した式を用いれば、セル混雑度ｋｃｏｎｇ（ｃ）と干渉指標ｋｉｆ（ｐ）とに基づいて、信号混雑度ｋｃｏｎｇ（ｗ）を算出することができる。そして、通信速度予測部７４０は、予測経路上の信号混雑度を用いて式１０を計算し、予測経路上のＳＩＲを算出する。
【０１７５】
予測経路上のＳＩＲが算出されると、通信速度予測部７４０は、算出されたＳＩＲを用いて、ＳＩＲの値に応じた最大通信速度を算出する。この最大通信速度の算出は、例えば、ＳＩＲの各値に対応する最大通信速度のテーブルを用意しておき、ＳＩＲを引数にしてこのテーブルから最大通信速度（ＲＭＡＸ）を取得する方法が考えられる。
【０１７６】
なお、この最大通信速度は、混雑の度合いが余り考慮していない通信速度である。そこで、通信速度予測部７４０は、算出された最大通信速度ＲＭＡＸから信号混雑度の度合いに応じて速度を低下させて、混雑度を考慮した予測通信速度（実効通信速度Ｒｅｆｆ）を算出する。なお、実効通信速度Ｒｅｆｆは、例えば、次の式１２を用いて算出される。
Ｒｅｆｆ＝（１．２２５−４．５×ｋｃｏｎｇ（ｗ））×ＲＭＡＸ    ・・・式１２
【０１７７】
上述の式１２に示すように、実効通信速度Ｒｅｆｆは、信号混雑度ｋｃｏｎｇ（ｗ）が大きくなるに従い、最大通信速度ＲＭＡＸからの減少幅が大きくなる。つまり、信号混雑度ｋｃｏｎｇ（ｗ）が小さいほど（基地局が空いているほど）、実効通信速度Ｒｅｆｆは最大通信速度ＲＭＡＸに近い値になる。また、信号混雑度ｋｃｏｎｇ（ｗ）が大きいほど（基地局が混雑しているほど）、実効通信速度Ｒｅｆｆは最大通信速度ＲＭＡＸには及ばない低い値になる。
【０１７８】
なお、本技術の第４の実施の形態では、ＳＩＲに基づいて最大通信速度ＲＭＡＸを取得する例について説明したがこれに限定されるものではない。他に、ＣＱＩ（Channel Quality Indicator）に基づいて最大通信速度ＲＭＡＸを取得することも可能である。ＣＱＩの値で最大通信速度（ＲＭＡＸ）を取得する場合には、各ＣＱＩの値ごとに定められているトランスポートブロックサイズの値を用いる。各ＣＱＩの値ごとのトランスポートブロックサイズを、伝送時間間隔（ＴＴＩ：Transmission Time Interval）で割ることにより、最大通信速度ＲＭＡＸを算出することができる。なお、ＨＳＤＰＡの伝送時間間隔は、２ｍｓである。例えば、ＣＱＩの値が「３０」であって、トランスポートブロックサイズが７１６８ビットである場合には、最大通信速度ＲＭＡＸは、３．５８４Ｍｂｐｓとなる。
【０１７９】
このように、信号混雑度生成部７２０と、サービングセル混雑度生成部７３０とを設けることによって、現在位置の信号混雑度と現在位置の干渉指標とに基づいてサービングセルのセル混雑度を算出することができる。そして、この算出したセル混雑度と、他の位置（サービングセルが切り替わらない範囲内の他の位置）の干渉指標とに基づいて、その干渉指標に係る位置の信号混雑度を算出することができる。また、この算出された信号混雑度を用いることによって、通信速度を予測することができる。
【０１８０】
［予測通信速度の表示例］
図１４は、本技術の第４の実施の形態の表示部３７０に表示される現在位置付近の通信速度を示す表示画面の一例を示す模式図である。
【０１８１】
図１４に示す表示画面（画面４３０）には、無線通信装置７１０の現在位置付近における予測通信速度の通知（通信速度通知４３１）と、通信品質表示（アンテナバー４３２）とが示されている。
【０１８２】
画面４３０に示すように、通信速度予測部７４０を設けることによって、信号混雑度生成部７２０から供給される信号混雑度に基づいて予測した現在位置付近の予測通信速度を表示することができる。また、通信速度予測部７４０を設けることによって、サービングセルが切り替わらないと考えられる範囲内において予測経路付近の干渉指標の情報が干渉指標情報保持部３２０に保持されていれば、予測経路上の予測通信速度を地図上に表示することができる。なお、この地図を用いた予測通信速度の表示は、後の本技術の第５の実施の形態において示す図１８と同様であるため、ここでの説明を省略する。
【０１８３】
［無線通信装置の動作例］
次に、本技術の第４の実施の形態における無線通信装置７１０の動作について図面を参照して説明する。
【０１８４】
図１５は、本技術の第４の実施の形態における無線通信装置７１０によって予測通信速度が生成される際の予測通信速度生成処理手順例を示すフローチャートである。
【０１８５】
なお、図１５に示すフローチャートは、図８に示すフローチャートの変形例であり、２つの混雑度（信号混雑度およびセル混雑度）の算出と、予測経路上の予測通信速度の算出とが追加される点が異なる。そこで、図１５では、図８と共通する部分については、図８と同一の符号を付してここでの説明を省略する。なお、予測経路上における干渉指標の算出と、２つの混雑度の算出とは平行して行える処理であるが、説明の便宜上、図１５では、予測経路上における干渉指標の算出のステップ（ステップＳ９０９）の後から混雑度の算出を示す。
【０１８６】
ステップＳ９０９において予測経路上における干渉指標が生成されると、相関検出において相関が検出されたスクランブルコードの相関出力のうち、最も大きい相関出力が信号混雑度生成部７２０に供給される（ステップＳ９３１）。また、相関検出において相関が検出されたスクランブルコードの相関出力のうち、最も小さい相関出力が信号混雑度生成部７２０に供給される（ステップＳ９３２）。
【０１８７】
そして、取得した２つの相関出力に基づいて、現在位置の信号混雑度が信号混雑度生成部７２０により算出される（ステップＳ９３３）。この信号混雑度の算出は、例えば、上述の式２を用いて行われる。その後、算出された現在の信号混雑度と、干渉指標生成部２８０から供給される現在位置の干渉指標とに基づいて、現在位置のセル混雑度（現在のサービングセルのセル混雑度）がサービングセル混雑度生成部７３０により算出される（ステップＳ９３４）。なお、このセル混雑度の算出は、例えば、上述の式３を用いて行われる。
【０１８８】
そして、算出されたセル混雑度と、予測経路上の干渉指標とに基づいて、予測経路上の予測通信速度が通信速度予測部７４０により予測される（ステップＳ９３５）。なお、この予測経路上の予測通信速度の算出は、例えば、上述の式１０乃至式１２と、ＳＩＲの各値に対応する最大通信速度のテーブルとを用いて算出される。
【０１８９】
その後、予測通信速度と予測経路とを表示する表示画像が表示画像生成部３６０により生成され（ステップＳ９３６）、この生成された表示画像が表示部３７０に表示され（ステップＳ９１１）、予測通信速度生成処理手順は終了する。
【０１９０】
このように、本技術の第４の実施の形態によれば、現在位置や予測移動経路上における通信速度を予測することができる。
【０１９１】
＜６．本技術の第５の実施の形態＞
本技術の第４の実施の形態では、無線通信装置が算出した現在のサービングセルのセル混雑度のみで通信速度を予測する例について説明した。セル混雑度は、セル（基地局）ごとの値であるため、サービングセルが切り替わる場合には、適切に通信速度を予測することができない。また、セル混雑度は、セルの使用状況に応じて変化する値であるため、過去に算出したセル混雑度を無線通信装置が保持していたとしても余り役に立たず、適切に通信速度を予測することができない。
【０１９２】
すなわち、サービングセルが切り替わるような長い距離における通信速度を適切に予測するためには、切り替わるセルの現在のセル混雑度を取得する必要がある。この取得は、例えば、本技術の第２および第３の実施の形態において干渉指標を保持するサーバを設けたように、多くの無線通信装置が検出したセル混雑度を集積して管理するサーバを設け、他のセルの現在のセル混雑度をこのサーバから取得する方法が考えられる。
【０１９３】
そこで、本技術の第５の実施の形態では、他のセルの現在のセル混雑度を保持するサーバを設ける例について、図１６乃至図１７を参照して説明する。
【０１９４】
なお、他のセルの現在のセル混雑度を保持するサーバを設ける例についても、本技術の第２および第３の実施の形態と同様に、予測経路を無線通信装置で算出させる例と、予測経路をサーバで算出させる例とが考えられる。本技術の第５の実施の形態では、本技術の第３の実施の形態と同様に、予測経路をサーバで算出させる例について説明する。
【０１９５】
［無線通信システムの構成例］
図１６は、本技術の第５の実施の形態における通信システム７０１の無線通信装置７１１の構成例を示すブロック図である。
【０１９６】
通信システム７０１は、無線通信装置７１１と、基地局１６０と、公衆回線網１７０と、サーバ８００とを備える。なお、基地局１６０および公衆回線網１７０は、図３において示したものと同様のものであるため、ここでの説明を省略する。また、サーバ８００については、図１７において詳細に説明するため、ここでの説明を省略する。
【０１９７】
無線通信装置７１１は、図１１において示した無線通信装置５１１の変形例であり、図１３において示した信号混雑度生成部７２０およびサービングセル混雑度生成部７３０をさらに備える。また、無線通信装置７１１は、図１１の送信データ生成部５６０に代えて、セル混雑度もサーバへ送信する送信データ生成部７６０を備える。ここでは、送信データ生成部７６０に着目して説明する。
【０１９８】
送信データ生成部７６０は、図１１において示した送信データ生成部５６０と同様に、位置情報取得部３１０が取得した位置情報を、その位置情報を取得した時間とともに、サーバ（サーバ８００）に送信するものである。また、送信データ生成部７６０は、サービングセル混雑度生成部７３０が生成したセル混雑度を、混雑度を検出した位置におけるサービングセルを示す情報（サービングセル情報）とともに、サーバ８００に送信する。なお、サービングセル情報は、例えば、サービングセル情報保持部２７０から供給されたスクランブルコードおよび位置情報である。サーバ８００は、混雑度に紐付けられたスクランブルコードおよび位置情報から、その位置でそのスクランブルコードを受信できるセル（基地局）を特定し、供給された混雑度に関するセルを特定する。なお、無線通信装置７１１がセルＩＤ（セルごとの識別情報）を取得できる場合には（例えば、セルＩＤを管理するサーバから取得する、あるいは、基地局から報知されている報知情報から取得する）、そのセルＩＤをサービングセル情報とすることもできる。なお、ＬＡＣ（Location Area Code）をさらに併せてサービングセル情報としてもよい。
【０１９９】
また、送信データ生成部７６０は、干渉指標をサーバ８００に送信する場合には、その干渉指標を取得した位置およびその位置におけるサービングセルの情報（サービングセル情報）を紐付けて送信する。すなわち、図１１において示した送信データ生成部５６０と比較すると、サービングセル情報をさらに紐付けて送信する。
【０２００】
なお、送信データ生成部７６０による混雑度の送信タイミングについては、データベースの更新のために用いられるため、図１１の送信データ生成部５６０が行う干渉指標の送信と同様である。すなわち、固定のタイミングもしくは可変のタイミングで送信することもできるし、干渉指標情報は無線通信品質の良いエリアでまとめて送信することもできる。また、送信データ生成部７６０による位置情報および干渉指標の送信タイミングについては、図１１の送信データ生成部５６０と同様であるため、ここでの説明を省略する。
【０２０１】
このように、サービングセル混雑度生成部７３０が生成したセル混雑度は、セル（基地局）を特定するための情報（サービングセル情報）とともに、サーバ８００へ送信される。
【０２０２】
図１７は、本技術の第５の実施の形態における通信システム７０１のサーバ８００の構成例を示すブロック図である。
【０２０３】
サーバ８００は、図１２において示したサーバ６０１の変形例であり、サーバ６０１の各構成に加えて、混雑度情報保持部８６０と、通信速度予測部８７０とを備える。また、サーバ８００は、図１２の干渉指標情報保持部６２０に代えて、その位置のサービングセルのセルＩＤを干渉指標情報にさらに紐付けて保持する干渉指標情報保持部８２０を備える。また、サーバ８００は、図１２の干渉指標予測部６５０に代えて、干渉指標予測部８５０を備える。
【０２０４】
干渉指標情報保持部８２０は、図１２において示した干渉指標情報保持部６２０と同様に、干渉指標情報を保持するものである。さらに、干渉指標情報保持部８２０は、無線通信装置７１１から送信された干渉指標情報に紐付けられているサービングセル情報から特定されたサービングセルのセルＩＤも紐付けて保持する。すなわち、干渉指標情報保持部８２０が保持する干渉指標には、その干渉指標を検出した位置（位置情報）と、その干渉指標を検出した位置におけるサービングセルを特定するための情報（例えば、セルＩＤ）とが紐付けられている。
【０２０５】
混雑度情報保持部８６０は、セル（基地局）ごとのセル混雑度を保持するものである。すなわち、この混雑度情報保持部８６０は、複数の無線通信装置７１１から送信されたセル混雑度に基づいて、セル混雑度のデータベースを保持する。混雑度情報保持部８６０は、セル混雑度を、そのセル混雑度が混雑度を示すセルのセルＩＤとともに保持する。
【０２０６】
また、混雑度情報保持部８６０は、セル（基地局）の制御装置が混雑度を自己解析し、この混雑度をサーバ８００に送信可能である場合には、このセル自身が検出した混雑度をセルＩＤに紐付けて保持するようにしても良い。
【０２０７】
干渉指標予測部８５０は、図１２において示した干渉指標予測部６５０と同様に、予測経路上における干渉指標を算出するものである。さらに、干渉指標予測部８５０は、干渉指標情報保持部６２０から干渉指標を取得する際に、干渉指標に紐付けられているセルＩＤも取得して、予測経路上におけるサービングセルも予測して、予測経路上の各位置とセルＩＤを紐付ける。
【０２０８】
通信速度予測部８７０は、図１３において示した通信速度予測部７４０と同様に、移動経路予測部６４０が予測した予測経路上における通信速度を予測するものである。通信速度予測部８７０は、干渉指標予測部８５０が予測した予測経路上の各位置のサービングセルのセルＩＤを引数として、混雑度情報保持部８６０に保持されているセル混雑度を取得する。そして、通信速度予測部８７０は、取得したセル混雑度と、予測経路上の干渉指標とに基づいて、予測経路上における通信速度を予測する。なお、通信速度の予測方法については、通信速度予測部７４０と同様であるため、ここでの説明を省略する。
【０２０９】
そして、通信速度予測部８７０は、予測通信速度付の予測経路を予測情報生成部６６０に供給し、予測通信速度付の予測経路の情報（予測情報）を無線通信装置７１１へ送信させる。
【０２１０】
なお、混雑度はユーザの使用状況に応じて変化するため、混雑度情報保持部８６０に保持されているセル混雑度は、現時刻に近い時刻のセル混雑度であることが望ましい。しかしながら、全てのセルのセル混雑度を現時刻に近い時刻の情報に常に維持することは難しい。そこで、混雑度情報保持部８６０は、セルごとのセル混雑度をさらに時間帯ごとに分けて保持し、現時刻に近い時刻の情報がない場合には、前日の同じ時間帯の混雑度を通信速度予測部８７０が取得するようにしても良い。
【０２１１】
なお、時間帯ごとのセル混雑度を保持させる場合には、セル混雑度の時系列の変化が分かる。このため、予測経路が長い距離であって、到達するのに時間がかかる（例えば、３時間後）場合においても、将来の時刻におけるセル混雑度を予測することができ、通信速度の予測精度を向上させることができる。
【０２１２】
なお、ここまでは、図１３において示した通信速度予測部７４０と同様の方法により通信速度予測部８７０が通信速度を予測することを想定して説明した。すなわち、上述の式８に示すように、各セルの混雑度はどのセルでも一緒であるとの仮定の上で現在のセル混雑度が算出され、そして、そのセル混雑度を用いて予測経路上の各位置の信号混雑度が算出される。しかしながら、本技術の第５の実施の形態のように、サーバに混雑度を保持する場合には、周辺セルごとのセル混雑度をサーバから取得することができる。すなわち、本技術の第５の実施の形態では、周辺セルごとのセル混雑度を考慮して信号混雑度およびセル混雑度を算出することができる。
【０２１３】
そこで、ここからは、周辺セルごとのセル混雑度を考慮して信号混雑度およびセル混雑度を算出する例について説明する。なお、ここでは、これまでと同様に、１つのサービングセルと、６つ（＃１乃至＃６）の周辺セルからの無線信号を無線通信装置が受信することを想定して説明する。
【０２１４】
まず、無線通信装置は、図１３において示した方法と同様の方法により、セルの混雑度はどのセルでも一緒であるとの仮定の上でのサービングセルのセル混雑度を算出する。なお、ここでは、この仮定の上でのセル混雑度を、近似セル混雑度と称することとする。この近似セル混雑度はサーバに送信され、サーバにおいてセルごとに保持される。
【０２１５】
まず、無線通信装置は、サーバに予測通信速度を算出させる場合には、周辺セルごとのセル混雑度が考慮された２つの混雑度（信号混雑度、セル混雑度）を算出するために必要な情報をサーバに送信する。無線通信装置は、少なくとも、現在位置の位置情報と、サービングセルの近似セル混雑度と、無線信号が受信できた周辺セルを特定するための情報（周辺セル情報）と、サービングセルおよび周辺セルのパイロット信号レベルと、信号混雑度とをサーバに送信する。
【０２１６】
そして、受信したサーバでは、周辺セル情報に基づいて無線通信装置の周辺セルが特定され、各周辺セルの近似セル混雑度が保持部から取得される。そして、サーバにおいて、サービングセルの近似セル混雑度と周辺セルの近似セル混雑度との比（近似セル混雑度比）が周辺セルごとに算出される。
【０２１７】
なお、各周辺セル（＃１乃至＃６）の近似セル混雑度比（ｋｎ）は、例えば、次の式１２を用いて算出される
【数１２】
0006293400.tif 000013
ここで、ｋｃｏｎｇ（ａｃ−ｓｅｒｖ）は、サービングセルの近似セル混雑度である。また、ｋｃｏｎｇ（ａｃ−ｎｅｉｇｈｂ＃ｎ）は、周辺セルの近似セル混雑度である。
【０２１８】
上述の式１２を用いて、周辺セル（＃１乃至＃６）ごとの近似セル混雑度比（ｋ＃１乃至ｋ＃６）が算出されると、サーバは、次の式１３を用いて、第２の干渉指標（ｋｓｉｆ）を算出する。
【数１３】
0006293400.tif 000014
【０２１９】
なお、上述の式１３により算出された第２干渉指標ｋｓｉｆは、上述の式１より算出された干渉指標ｋｉｆとともに干渉指標情報保持部８２０に保持される。
【０２２０】
そして、この算出された第２干渉指標ｋｓｉｆと、現在位置の信号混雑度ｋｃｏｎｇ（ｗ）とに基づいて、サービングセルのセル混雑度ｋｃｏｎｇ（ｃ）が算出される。なお、このセル混雑度ｋｃｏｎｇ（ｃ）の算出は、例えば、次の式１４を用いて算出される。
【数１４】
0006293400.tif 000015
【０２２１】
上述の式１４により算出されたセル混雑度（ｋｃｏｎｇ（ｃ））は、混雑度情報保持部８６０に、近似セル混雑度ｋｃｏｎｇ（ａｃ）とともに保持される。
【０２２２】
そして、サーバでは、この算出されたセル混雑度ｋｃｏｎｇ（ｃ）と、予測経路上の各位置の第２干渉指標ｋｓｉｆとに基づいて、各位置の信号混雑度ｋｃｏｎｇ（ｗ）が算出される。なお、この信号混雑度ｋｃｏｎｇ（ｗ）の算出は、例えば、上述の式１４を変形した次の式１５を用いて算出される。
【数１５】
0006293400.tif 000016
【０２２３】
上述の式１２乃至式１５を用いて、周辺セルごとの混雑度を考慮して移動経路上の各位置の信号混雑度を算出することにより、通信速度の予測の精度を向上させることができる。
【０２２４】
なお、上述の式１２乃至式１５において、セルの混雑度はどのセルでも一緒であると仮定すると、第２干渉指標ｋｓｉｆを算出する際の近似セル混雑度比（ｋｎ）は、全ての周辺セル（＃１乃至＃６）に関して「１」となる。近似セル混雑度比（ｋｎ）が「１」となると、上述の式１４および式１５は、上述の式３および式１１と同一になる。
【０２２５】
ここで、周辺セルごとの混雑度を考慮して移動経路上の各位置の信号混雑度を算出するために、式１２乃至式１５を用いる理由について説明する。
【０２２６】
まず、周辺セルのセル混雑度について説明する。周辺セルのセル混雑度（ｋｃｏｎｇ＃ｎ（ｃ））は、近似セル混雑度比（ｋｎ）と、上述の式４とから、次の式１６のように表すことができる。
【数１６】
0006293400.tif 000017
【０２２７】
この式１６を変形すると、次の式１７を経て次の式１８になる。
【数１７】
0006293400.tif 000018
【０２２８】
そして、上述の式７に式１８を代入すると、次の式１９になる。
【数１８】
0006293400.tif 000019
【０２２９】
ここで、上述の式４を変形すると、次の式２０を経て次の式２１になる。
【数１９】
0006293400.tif 000020
【０２３０】
そして、式１９に式２１を代入すると、次の式２２になる。
【数２０】
0006293400.tif 000021
【０２３１】
ここで、式２２に式１３を代入すると、次の式２３になる。
【数２１】
0006293400.tif 000022
【０２３２】
この式２３を変形すると、上述の式１４および式１５になる。
【０２３３】
このように、周辺セルの近似セル混雑度をサーバに保持させることにより、周辺セルごとの混雑度を考慮してサービングセルのセル混雑度を算出することができる。すなわち、混雑度を保持するサーバを設けることにより、セルの混雑度の算出の精度を向上させることができる。
【０２３４】
［予測通信速度の表示例］
図１８は、本技術の第５の実施の形態の表示部３７０に表示される予測経路および予測経路上の予測通信速度が付された地図の表示画面の一例を示す模式図である。
【０２３５】
なお、図１８では、予測経路上の予測通信速度を数値で表す例について説明する。すなわち、図１８では、図６に対応する表示例を示す。図７に対応する表示例については、干渉指標の代わりに予測通信速度を表していること以外は変わらないため、説明を省略する。
【０２３６】
図１８において示す通信速度付の予測経路の表示画面（画面４４０）には、無線通信装置７１１の現在位置を示す目印（携帯電話４４１）と、予測経路を示す太線の矢印（矢印４４６）とが示されている。また、画面４４０には、予測経路上における予測通信速度を示す数値（予測通信速度値４４２乃至４４５）が示されている。画面４４０に示すように、予測経路上における予測通信速度を地図に付して表示することができる。なお、予測通信速度のユーザへの表示は、地図情報に併せて表示させる方法だけではない。他に、予測通信速度の増減を表すテキスト、あるいは、予測通信速度の増減を想起するアイコンを用いて、予測経路を移動するに従って今後の予測通信速度が速くなるか、若しくは、遅くなるかをユーザに示すようにしても良い。
【０２３７】
［無線通信装置の動作例］
次に、本技術の第５の実施の形態におけるサーバ８００の動作について図面を参照して説明する。
【０２３８】
図１９は、本技術の第５の実施の形態におけるサーバ８００によって予測情報が生成される際の予測情報生成処理手順例を示すフローチャートである。
【０２３９】
まず、無線通信装置７１１が送信した予測要求を受信したか否かが、通信部６１０により判断される（ステップＳ９４１）。そして、予測要求を受信していないと判断された場合には、（ステップＳ９４１）、予測要求を受信するまで待機する。
【０２４０】
一方、予測要求を受信したと判断された場合には（ステップＳ９４１）、その予測要求を送信した無線通信装置７１１の移動履歴が、移動経路予測部６４０により位置情報履歴保持部６３０から取得される（ステップＳ９４２）。その後、その取得された移動履歴に基づいて、予測要求を送信した無線通信装置７１１の予測経路が移動経路予測部６４０により生成される（ステップＳ９４３）。続いて、生成された予測経路に基づいて、予測経路付近の干渉指標と、その干渉指標に紐付けられているセルＩＤ（その位置のサービングセルのセルＩＤ）とが、干渉指標予測部８５０により干渉指標情報保持部８２０から取得される（ステップＳ９４４）。
【０２４１】
そして、取得された干渉指標に基づいて、予測経路上の各位置の干渉指標が干渉指標予測部８５０により予測される（ステップＳ９４５）。続いて、取得されたセルＩＤに基づいて、予測経路上の各位置のサービングセルが干渉指標予測部８５０により予測される（ステップＳ９４６）。
【０２４２】
次に、予測された予測経路上の各位置のサービングセルのセルＩＤに基づいて、そのセルＩＤにより特定されるセル（基地局）のセル混雑度が、混雑度情報保持部８６０から通信速度予測部８７０に供給される（ステップＳ９４７）そして、供給されたセル混雑度と、予測された予測経路上の干渉指標とに基づいて、予測経路上の各位置の通信速度が、通信速度予測部８７０により予測される（ステップＳ９４８）。そして、予測経路および予測経路上の各位置の通信速度を含む情報が予測情報として予測情報生成部６６０により無線通信装置７１１へ送信されて（ステップＳ９４９）、予測情報生成処理手順は終了する。なお、ステップＳ９４６において、サービングセルを予測する際には、セルＩＤと併せて前述のＬＡＣを利用してサービングセルを予測するようにしてもよい。
【０２４３】
このように、本技術の第５の実施の形態によれば、経路上でサービングセルが切り替わるほど予測経路の距離が長い場合においても、予測経路上の通信速度を適切に予測することができる。本技術の第５の実施の形態では、周辺セルのセル混雑度を保持するサーバが設けられるため、周辺セルの現在のセル混雑度を利用することにより、周辺セルも含めた広いエリアの通信速度を適切に予測することができる。一方、本技術の第４の実施の形態の無線端末装置では、周辺セルのセル混雑度が検出できないためサービングセルが切り替わるような広い範囲における通信速度を適切に予測することは難しいが、サーバと交信する必要がないために、迅速に算出することができる。そのため、短い時間（例えば、２分ぐらい）における予測通信速度を算出する場合は本技術の第４の実施の形態を適用し、長い時間の場合（移動距離が長い場合）には本技術の第５の実施の形態を切り替えて適用して予測通信速度を算出する方法が考えられる。
【０２４４】
＜７．本技術の第６の実施の形態＞
本技術の第４および第５の実施の形態では、予測経路上における予測通信速度を表示する例について説明した。これらの例において説明したように、干渉指標と、信号混雑度と、セル混雑度を用いることにより、現在位置以外の位置における予測通信速度を算出することができる。しかしながら、予測通信速度の用途は、予測経路上における予測通信速度を表示することに限定されるものではなく、他にも種々の用途が考えられる。例えば、通信品質が悪い位置にいるユーザ（例えば、データ通信速度が遅くなる、あるいは、通話が頻繁に切れたりするユーザ）を、近くの通信品質がよい位置までナビゲートすることが考えられる。また、複数の通信網の予測通信速度を算出できる場合には、現在位置において最も予測通信速度が速い通信網をユーザに通知することも考えられる。
【０２４５】
そこで、本技術の第６の実施の形態では、予測経路上において通信速度が最も速い通信事業者をサーバが検出し、その検出結果に基づいた通信を無線通信装置に行わせる例について、図２０乃至図２２を参照して説明する。
【０２４６】
［無線通信システムの構成例］
図２０は、本技術の第６の実施の形態における通信システム１１００の無線通信装置１２００の構成例を示すブロック図である。
【０２４７】
なお、本技術の第６の実施の形態では、無線通信装置１２００のユーザは、複数（４つ）の通信事業者と契約していることを想定する。また、本技術の第６の実施の形態では、予測経路上において無線通信サービスを提供している通信事業者は、４社であることを想定する。
【０２４８】
通信システム１１００は、無線通信装置１２００と、基地局１６０と、公衆回線網１７０と、サーバ１３００とを備える。
【０２４９】
無線通信装置１２００は、図１６において示した無線通信装置７１１の変形例であり、無線通信装置７１１の各構成に加えて、通知データ受信部１２１０と、無線設定部１２２０と、ＵＳＩＭ（Universal Subscriber Identity Module）情報記憶部１２３０と、操作受付部１２４０とをさらに備える。
【０２５０】
通知データ受信部１２１０は、通信事業者に関する通知の情報（通知データ）を受信するものである。ここで、通知データは、無線通信装置１２００の予測経路上において無線通信装置１２００に適切な通信事業者を通知するための情報であり、サーバ１３００から無線通信装置１２００へ送信される。例えば、通知データには、予測経路上において予測通信速度が最も速い通信事業者を特定するための情報が含まれる。なお、本技術の第６の実施の形態では通信速度が最も速い通信事業者を通知する例について説明するが、他に、最も安い通信事業者を通知する場合なども考えられる。通知データ受信部１２１０は、受信した情報（通知データ）を、無線設定部１２２０に送信する。
【０２５１】
無線設定部１２２０は、通知データ受信部１２１０から供給された通知データに基づいて、無線通信装置１２００が行う無線通信に関する設定を行うものである。無線設定部１２２０は、通知データが示す通信網と、現在の設定において使用可能な通信網とを比較して、無線通信に関する設定の変更が必要か否かを判断する。そして、無線設定部１２２０は、設定の変更が必要と判断した場合には、通知データが示す通信網を無線設定部１２２０が利用できるように設定を変更する制御を行う。例えば、無線設定部１２２０は、通知データにより特定される通信網が、現在利用している通信網の通信事業者の異なる無線方式である場合には、この無線方式を用いて通信が行えるように各種の設定を変更する。また、無線設定部１２２０は、通知データにより特定される通信網を提供する通信事業者が、現在利用している通信網の通信事業者とは異なる場合には、その通信事業者の通信網を利用可能にするために、ＵＳＩＭ情報記憶部１２３０に記憶されて有効となっているＵＳＩＭ情報の書き換えを行う。なお、無線設定部１２２０は、特許請求の範囲に記載の取得部および制御部の一例である。
【０２５２】
また、無線設定部１２２０は、無線方式の変更やＵＳＩＭ情報の書き換えに関する情報を表示部３７０に表示させて、その情報をユーザに通知する。なお、表示例については、図２２を参照して説明するため、ここでの説明を省略する。
【０２５３】
また、サーバ１３００がセル混雑度や干渉指標を通信網ごとに保持するためにセル混雑度や干渉指標をサーバ１３００へ送信する際には、現在設定されている通信網を特定するための情報（通信網特定情報）をさらに紐付けて送信する。
【０２５４】
ＵＳＩＭ情報記憶部１２３０は、無線通信装置１２００が特定の通信事業者のサービス（通信網）を使用するのに必要なＵＳＩＭ情報を記憶（保持）するものである。ここで、ＵＳＩＭ情報は、契約認証情報の一例であり、契約認証情報は、電話の加入者（Subscriber）情報と、認証鍵（Authentication）の情報とを含む情報である。すなわち、ＵＳＩＭ情報は、無線通信装置１２００のユーザと特定の通信事業者との間における無線接続サービスの契約に基づいて、その特定の通信事業者から発行される情報である。
【０２５５】
ＵＳＩＭ情報記憶部１２３０は、ＵＳＩＭ情報の書き換え、または、ＵＳＩＭ情報の有効化処理および無効化処理が行えるようにＵＳＩＭ情報を保持する。例えば、無線設定部１２２０が、通知データに基づいてＵＳＩＭ情報の書き換えを実行すると判断した場合には、通知データが示す通信事業者のサーバから取得した新たなＵＳＩＭ情報により、ＵＳＩＭ情報記憶部１２３０に記録されているＵＳＩＭ情報が書き換えられる。そして、新たなＵＳＩＭ情報に基づいて無線通信の設定が行われ、通知データが示す通信網での通信が可能となる。
【０２５６】
操作受付部１２４０は、ユーザにより操作された操作入力を受け付ける操作受付部である。例えば、操作受付部１２４０は、受け付けられた操作入力に応じた信号を無線設定部１２２０に出力する。
【０２５７】
図２１は、本技術の第６の実施の形態における通信システム１１００のサーバ１３００の構成例を示すブロック図である。
【０２５８】
サーバ１３００は、図１７において示したサーバ８００の変形例であり、無線通信装置１２００のユーザの目的に合っている通信網を検出し、その検出した通信網をユーザに通知するために通知データを送信することができる。例えば、サーバ１３００は、予測経路上における通信速度の速い通信網を無線通信装置１２００のユーザに通知する場合には、予測経路上において通信速度の最も速い回線網を検出し、検出した通信網を示す通知データを無線通信装置１２００へ送信する。また、サーバ１３００は、例えば、通信費が基地局の混雑に応じて変化する課金方式の場合において、予測経路上における最も通信費の安い通信網を通知する場合には、予測経路上において最も通信費の安い通信網を検出し、その通信網を示す通知データを送信する。
【０２５９】
サーバ１３００は、通信部６１０と、位置情報履歴保持部６３０と、移動経路予測部６４０と、干渉指標情報保持部１３２０と、干渉指標予測部１３５０とを備える。また、サーバ１３００は、混雑度情報保持部１３６０と、通信速度予測部１３７０と、通信網選択部１３８０と、通知データ生成部１３９０とを備える。なお、通信部６１０と、位置情報履歴保持部６３０と、移動経路予測部６４０とについては、これまでに示したものと同様のものであるため、ここでの説明を省略する。
【０２６０】
干渉指標情報保持部１３２０は、複数の通信網ごとに干渉指標情報を分類して保持するものである。また、干渉指標情報保持部１３２０は、図１７の干渉指標情報保持部８２０と同様に、干渉指標と、その干渉指標を検出した位置（位置情報）と、その干渉指標を検出した位置におけるサービングセルを特定するための情報（セルＩＤ）とを関連付けて保持する。例えば、サーバ１３００による通信網の検出サービスが４つの通信網を対象としている場合には、その４つの通信網（ここでは、第１通信網乃至第４通信網と称する）の干渉指標をそれぞれ保持する。この場合において、干渉指標情報保持部１３２０は、第１通信網乃至第４通信網の干渉指標を、第１通信網乃至第４通信網それぞれの干渉指標のデータベースとして管理する。干渉指標情報保持部１３２０は、第１通信網のＵＳＩＭ情報が設定されている無線通信装置１２００から第１通信網を示す通信網特定情報が付された干渉指標情報が供給された場合には、第１通信網の干渉指標のデータベースを更新する。
【０２６１】
混雑度情報保持部１３６０は、複数の通信網ごとに混雑度情報を分類保持するものである。なお、混雑度情報を複数の通信網ごとに保持する以外は、図１７の混雑度情報保持部８６０と同様のものであるため、ここでの説明を省略する。
【０２６２】
干渉指標予測部１３５０は、図１７の干渉指標予測部８５０と同様に、予測経路における干渉指標およびサービングセルを予測するものである。さらに、干渉指標予測部１３５０は、複数の通信網ごとに予測経路上の各位置の干渉指標およびサービングセルをそれぞれ予測する。干渉指標予測部１３５０は、複数の通信網ごとに干渉指標情報を干渉指標情報保持部１３２０から取得して、予測経路上の各位置の干渉指標を複数の通信網ごとに算出する。例えば、干渉指標予測部１３５０は、予測経路または予測経路付近の位置に紐付けられている第１通信網の干渉指標を干渉指標情報保持部１３２０から取得して、予測経路上における第１通信網の干渉指標を算出する。
【０２６３】
通信速度予測部１３７０は、図１７の通信速度予測部８７０と同様に、予測経路上における通信速度を予測するものである。さらに、通信速度予測部１３７０は、複数の通信網ごとの通信速度を予測する。例えば、通信速度予測部１３７０は、予測経路上の各位置における第１通信網の干渉指標と、この各位置においてサービングセルとなる第１通信網のセルのセル混雑度とに基づいて、予測経路上の各位置における第１通信網の通信速度を予測する。同様にして、通信速度予測部１３７０は、第２乃至第４通信網の通信速度を予測する。
【０２６４】
通信速度予測部１３７０は、通信速度の速い通信網をユーザに通知する場合には、予測経路と、通信網ごとの予測通信速度とを通信網選択部１３８０に供給する。また、通信速度予測部１３７０は、例えば、通信費が基地局の混雑に応じて変化する課金方式の場合において、予測経路上における最も通信費の安い通信網をユーザに通知する場合には、予測経路と、通信網ごとのセル混雑度とを通信網選択部１３８０に供給する。
【０２６５】
通信網選択部１３８０は、無線通信装置１２００に通知する通信網を選択するものである。例えば、通信網選択部１３８０は、通信速度の速い通信網をユーザに通知する場合には、通信速度予測部１３７０から供給された各通信網の予測通信速度に基づいて、ユーザが契約している通信事業者の通信網のうち、予測経路上の予測通信速度の平均値が最も速い通信網を検出する。すなわち、通信網選択部１３８０は、予測経路上のそれぞれの通信網の通信状態を比較して、特定条件を満たす通信網を検出する。通信網選択部１３８０は、検出した通信網を通知データ生成部１３９０に供給する。なお、通信網選択部１３８０は、特許請求の範囲に記載の生成部の一例である。
【０２６６】
通知データ生成部１３９０は、通信網選択部１３８０において選択された通信網を通知するための通知データを生成するものである。通知データ生成部１３９０は、生成した通知データを無線通信装置１２００へ送信する。なお、この送信された通知データは、その時点において無線通信装置１２００に設定されているＵＳＩＭ情報により使用可能となる通信網を経由して無線通信装置１２００へ送信される。
【０２６７】
［無線設定変更画面の表示例］
図２２は、本技術の第６の実施の形態において、通知データに基づく通信網の切り替えに関する設定を行う際に表示部３７０に表示される表示画面の表示例を示す図である。
【０２６８】
図２２（ａ）には、通知データに基づく通信網の切り替えを自動で行うか否かを選択するための表示画面（設定画面１４１０）を示す。また、図２２（ｂ）には、設定画面１４１０において手動が選択された状態において通知データを受信した際に、通信網の切り替えをするか否かを選択するための表示画面（設定画面１４２０）を示す。なお、ここでは、通信網の切り替えには、通信事業者の切り替え（ＵＳＩＭの切り替え）も伴うことを想定して説明する。
【０２６９】
図２２（ａ）の設定画面１４１０には、通信事業者の切り替えを自動で行うか手動で行うかを選択するためのラジオボタン（ラジオボタン１４１１および１４１２）と、その選択を決定するための適用ボタン（適用ボタン１４１３）とが示されている。
【０２７０】
ラジオボタン１４１１を選択して適用ボタン１４１３を押下すると、通信事業者（ＵＳＩＭ）の切り替えが自動で行われる。すなわち、通知データにより通知された通信網に自動で切り替わる。
【０２７１】
一方、ラジオボタン１４１２を選択して適用ボタン１４１３を押下すると、通信事業者（ＵＳＩＭ）の切り替えは手動に設定される。すなわち、通知データにより最適な通信網が通知される度に、通信網を切り替えるか否かをユーザが選択する。なお、この通信網を切り替えるか否かをユーザが選択する際の表示画面の一例が、図２２（ｂ）において示す設定画面１４２０である。
【０２７２】
図２２（ｂ）の設定画面１４２０には、現在の通信網の通信事業者であるＡ社のままにする（通信網を切り替えない）ためのボタン（Ａ社選択ボタン１４２１）と、通信事業者をＡ社からＢ社に切り替えるためのボタン（Ｂ社選択ボタン１４２２）とが示されている。この設定画面１４２０に示すように、通信網の切り替えを主導で行う場合には、通知データにより最適な通信網が通知される度に、通信網を切り替えるか否かをユーザが選択することができる。
【０２７３】
このように、本技術の第６の実施の形態によれば、干渉指標およびセル混雑度を複数の通信網ごとに保持するサーバを設けることにより、最適な通信網をユーザに通知することができる。なお、本技術の第６の実施の形態では、予測経路上において通信速度が最も速い通信事業者を通知する例について説明したが、これに限定されるものではなく、通信費の安い通信事業者や、目的地まで通信が途切れない通信事業者などを通知する場合も考えられる。
【０２７４】
＜８．本技術の第７の実施の形態＞
本技術の第６の実施の形態では、通知データに基づいて通信網を切り替える例について説明した。第６の実施の形態では特に言及しなかったが、通信網を切り替える処理（同一通信事業社内なら設定変更の処理、他の事業者ならＵＳＩＭを切り替える処理）にはある程度の時間が必要である。通信網の切り替えが自動に設定されている場合において、通信を行う時間が非常に短いのにもかかわらず通信網を切り替えてしまうと、トータルでは逆に時間が増えてしまう可能性が想定される。例えば、通信網の切り替えで通信速度が１．０Ｍｂｐｓから１．３Ｍｂｐｓに速くなる場合において、仮に通信時間が１分だけにもかかわらずＵＳＩＭの切り替えで３分ぐらいかかると、トータルの時間では切り替えないほうが速い。すなわち、通信網の切り替えが自動に設定されている場合には、無線通信装置の行う通信の状況に応じてＵＳＩＭの切り替えが行われると便利である。
【０２７５】
そこで、本技術の第７の実施の形態では、通信網の切り替えが自動に設定されている場合において、行う予定の通信の状況に応じて通信網の切り替えが判断される例について図２３を参照して説明する。
【０２７６】
［無線通信システムの構成例］
図２３は、本技術の第７の実施の形態における通信システム１１０１の構成例を示すブロック図である。
【０２７７】
通信システム１１０１は、無線通信装置１２０１と、基地局１６０と、公衆回線網１７０と、サーバ１３００とを備える。なお、基地局１６０および公衆回線網１７０は、図３において示したものと同様のものであるため、ここでの説明を省略する。また、サーバ１３００については、図２１において示したものと同様のものであるため、ここでの説明を省略する。
【０２７８】
無線通信装置１２０１は、図２０において示した無線通信装置１２００の変形例であり、アプリケーション判定部１２５０をさらに備える。なお、アプリケーション判定部１２５０以外の各構成は無線通信装置１２００と同様であるため、ここでは、アプリケーション判定部１２５０に着目して説明する。
【０２７９】
アプリケーション判定部１２５０は、無線通信装置１２００において実行されているアプリケーションのうち、通信を行うアプリケーションがどのような通信を行うのかを判定するものである。このアプリケーション判定部１２５０は、アプリケーションが行う通信の時間、間隔（頻度）、時間当たりのダウンロード量（通信量）などを解析する。例えば、アプリケーション判定部１２５０は、ウェブ・ブラウジングのように通信期間が短く、比較的に少ない通信量で間欠的に通信を行うアプリケーションであるのか、動画像のストリーミングのように、通信期間が長く、大きな通信量で連続的に通信を行うアプリケーションであるのかを判定する。
【０２８０】
そして、アプリケーション判定部１２５０は、通信期間が短いアプリケーションや、少ない通信量で間欠的に通信を行うアプリケーションが実行されていると判定した場合には、現在の無線の設定で無線通信を行わせる命令を無線設定部１２２０に供給する。なお、この命令を受信した無線設定部１２２０は、判定対象のアプリケーションで通信を行っている間は、通知データにより通信網の情報が供給されたとしても無線の設定の変更やＵＳＩＭの書き換えを行わずに無線通信を継続する。すなわち、通信期間が短いアプリケーションや、間欠的に通信を行うアプリケーションの場合には設定変更を行わずに無線通信を行うことにより、設定変更の時間を含むトータルの通信時間が長くなることを抑えることができる。
【０２８１】
また、アプリケーション判定部１２５０は、通信期間が比較的に長いアプリケーションや、大きな通信量を必要とするアプリケーションが実行されていると判定した場合には、通知データを取得してより高速な通信網への切り替えを要求する命令を無線設定部１２２０に供給する。なおこの命令を受信した無線設定部１２２０は、通知データの要求をサーバ１３００へ送信する。
【０２８２】
そして、通知データがサーバ１３００から送信されると、無線設定部１２２０は、現在設定されている通信網が最も高速の場合には、現在の無線の設定で無線通信を行わせる。また、無線設定部１２２０は、通知データが示す通信網が現在設定されている通信事業者における異なる無線方式の通信網である場合には、その通信網で無線通信が行えるように、無線の設定を変更する。また、無線設定部１２２０は、通知データが示す通信網が現在設定されている通信事業者と異なる通信事業者の通信網である場合には、ＵＳＩＭ情報記憶部１２３０に記憶されているＵＳＩＭ情報を書き換えて、通知データが示す通信網において無線通信を行えるように無線の設定を変更する。このように、通信期間が比較的に長いアプリケーションや、大きな通信量を必要とするアプリケーションの場合には、設定変更の時間を含むトータルの時間で考えても通信品質の良い無線網を利用した方が通信時間を短くすることができる。また、通信期間が比較的に長いアプリケーションや、大きな通信量を必要とするアプリケーションの場合に設定変更を行うことにより、基地局に負荷をかけずに無線通信を行うことができ、基地局の容量の改善が期待できる。
【０２８３】
このように、本技術の第７の実施の形態によれば、実行されるアプリケーションに応じて通信網の切り替えを判断させることができる。
【０２８４】
＜９．本技術の第８の実施の形態＞
本技術の第１乃至第８の実施の形態では、無線通信方式がＨＳＤＰＡ方式であることを想定し、パイロット信号のレベルに基づいて干渉指標を生成する例について説明した。しかしながら、これに限定されるものではなく、他の無線通信方式の場合でも干渉指標を生成することができる。他の無線通信方式の場合において、干渉指標は、パイロット信号のように基地局と無線通信装置との間の距離に応じて減衰するような信号を用いることにより算出することができる。例えば、ＬＴＥ（Long Term Evolution）などの直交周波数分割多元接続（ＯＦＤＭＡ：Orthogonal Frequency Division Multiple Access）方式の無線通信方式の場合には、リファレンス信号を用いることにより干渉指標を算出することができる。
【０２８５】
ここで、無線通信方式がＯＦＤＭＡ方式である場合の例について、本技術の第８の実施の形態として図２４を参照して説明する。
【０２８６】
［無線通信システムの構成例］
図２４は、本技術の第８の実施の形態における通信システム１５００の無線通信装置１５１０の構成例を示すブロック図である。
【０２８７】
通信システム１５００は、無線通信装置１５１０と、基地局１６０と、公衆回線網１７０と、サーバ８００とを備える。なお、無線通信装置１５１０以外は、これまでに説明したものと同様のものであるため、ここでの説明を省略する。
【０２８８】
無線通信装置１５１０は、図１６において示した無線通信装置７１１の変形例であり、パイロット信号検出部２２０およびパイロット信号レベル保持部２５０に代えて、リファレンス信号検出部１５２０と、リファレンス信号レベル保持部１５３０とを備える。また、無線通信装置１５１０は、信号混雑度生成部７２０およびサービングセル混雑度生成部７３０に代えて、サービングセル混雑度生成部１５４０を備える。なお、図１６では、通信部２１０は、ＯＦＤＭＡ方式の信号を送受信することを前提とする。
【０２８９】
リファレンス信号検出部１５２０は、周波数方向および時間方向にマッピングされたリファレンス信号を含んだ無線信号の中から、リファレンス信号を検出するものである。また、リファレンス信号検出部１５２０は、検出したリファレンス信号に基づいて基準信号受信電力（ＲＳＲＰ：Reference Signal Received Power）を算出する。リファレンス信号検出部１５２０は、受信した無線信号に含まれているリファレンス信号を検出することにより、少なくとも、サービングセルのＲＳＲＰと、周辺セルのＲＳＲＰとをセルごとに算出する。なお、ＲＳＲＰは、周波数方向および時間方向にマッピングされている複数のリファレンス信号のうちの複数のリファレンス信号のＲＳＲＰを平均して得られる平均値を用いることにより、ＲＳＲＰの値の検出誤差を減少させることができる。そして、リファレンス信号検出部１５２０は、算出したＲＳＲＰを、リファレンス信号レベル保持部１５３０に保持させる。このように、リファレンス信号検出部１５２０は、パイロット信号検出部２２０のパイロット信号レベル検出の代わりにリファレンス信号のレベル（強度）を示すＲＳＲＰを検出し、そして、リファレンス信号レベル保持部１５３０に保持させる。
【０２９０】
リファレンス信号レベル保持部１５３０は、サービングセルおよび周辺セルのそれぞれのＲＳＲＰを保持するものである。すなわち、リファレンス信号レベル保持部１５３０は、サービングセルおよび周辺セルのそれぞれのリファレンス信号レベルを保持する。リファレンス信号レベル保持部１５３０が保持するセルごとのＲＳＲＰは、サービングセル決定部２６０においてサービングセルの決定を行う際に用いられる。また、リファレンス信号レベル保持部１５３０が保持するセルごとのＲＳＲＰは、干渉指標生成部２８０に供給され、セルごとのＲＳＲＰに基づいて干渉指標が算出される。すなわち、無線通信装置１５１０では、ＣＤＭＡ方式の信号を送受信する無線通信装置におけるパイロット信号レベルの代わりにＲＳＲＰが用いられる。
【０２９１】
サービングセル混雑度生成部１５４０は、図１６において示したサービングセル混雑度生成部７３０と同様に、サービングセルが送信する無線信号における混雑の度合いを示す情報（セル混雑度）を生成するものである。サービングセル混雑度生成部１５４０は、ＯＦＤＭＡ方式の信号の１フレーム当たりの総サブキャリア数と、その１フレーム当たりにおける各ユーザに割り当てられたサブキャリア数とを算出する。そして、サービングセル混雑度生成部１５４０は、総サブキャリア数と、割り当てられたサブキャリア数との割合に基づいて、サービングセルにおける混雑度（セル混雑度）を算出する。
【０２９２】
なお、セル混雑度の算出方法については、サブキャリア数を用いるものに限定されるものではない。例えば、１フレーム当たりの全てのサブキャリアの電力の総和と、各ユーザに割り当てられたサブキャリアの電力の総和とに基づいて算出することもできる。また、サービングセル混雑度生成部１５４０によるサブキャリアの検出は、１フレーム当たりのサブキャリアを直接検出する他に、ＯＦＤＭＡ方式の信号に含まれる制御信号のうちのフレーム構造を通知する信号からも検出することができる。また、サービングセル混雑度生成部１５４０は、リソースブロックの総数と、各ユーザに割り当てられるリソースブロックの数との割合に基づいてセル混雑度を算出することもできる。
【０２９３】
このように、本技術の第８の実施の形態によれば、無線通信方式がＯＦＤＭＡ方式の場合においても、予測経路上の通信速度を適切に予測することができる。すなわち、無線通信方式がＯＦＤＭＡ方式の場合においても、無線通信における適切な通信状態を把握することができる。
【０２９４】
＜１０．本技術の第９の実施の形態＞
ここまでに示した本技術の実施の形態では、無線通信装置が算出した干渉指標および混雑度を予測経路上の通信品質の検出に用いる例について主に説明した。当然ながら、干渉指標および混雑度は現在位置の通信品質の検出にも用いることができる。例えば、携帯電話などにおいて通信品質を表示する標識であるアンテナバーの数の算出の際に用いると、現在位置の通信品質を適切にユーザに通知することができる。
【０２９５】
そこで、本技術の第９の実施の形態では、干渉指標や混雑度を考慮してアンテナバーの数を算出する例について、図２５を参照して説明する。
【０２９６】
［無線通信装置の構成例］
図２５は、本技術の第９の実施の形態における無線通信装置１６１０の構成例を示すブロック図である。
【０２９７】
無線通信装置１６１０は、通信部２１０と、パイロット信号検出部２２０と、周辺セル情報取得部２３０と、周辺セル情報保持部２４０と、パイロット信号レベル保持部２５０と、サービングセル決定部２６０と、サービングセル情報保持部２７０とを備える。また、無線通信装置１６１０は、干渉指標生成部２８０と、表示部３７０と、信号混雑度生成部７２０と、サービングセル混雑度生成部７３０と、ＲＳＳＩレベル検出部１６２０と、通信品質表示生成部１６３０とを備える。
【０２９８】
なお、ＲＳＳＩレベル検出部１６２０および通信品質表示生成部１６３０以外の構成は、これまでの実施例において説明したものと同様のものであるため、ここでの説明を省略する。
【０２９９】
ＲＳＳＩレベル検出部１６２０は、無線通信装置１６１０が受信する無線信号におけるＲＳＳＩのレベル（強度）を検出するものである。すなわち、ＲＳＳＩレベル検出部１６２０は、従来の無線通信装置が通信品質の目安とする信号であるＲＳＳＩのレベルを検出する。ＲＳＳＩレベル検出部１６２０は、検出したＲＳＳＩレベルを、通信品質表示生成部１６３０に供給する。
【０３００】
通信品質表示生成部１６３０は、ユーザに通信品質を通知するための表示画像を生成するものである。この通信品質表示生成部１６３０は、アンテナバー（特定標識）の数の増減により通信品質をユーザに通知する場合には、アンテナバーの数を決定する。通信品質表示生成部１６３０は、ＲＳＳＩレベル検出部１６２０から供給されたＲＳＳＩレベルと、干渉指標生成部２８０から供給された干渉指標と、サービングセル混雑度生成部７３０から供給されたセル混雑度とに基づいてアンテナバーの数を決定する。そして、通信品質表示生成部１６３０は、その決定した数のアンテナバーを表示部３７０に表示させる。なお、通信品質表示生成部１６３０は、特許請求の範囲に記載の検出部および表示画像生成部の一例である。
【０３０１】
ここで、アンテナバーの数の決定方法について説明する。通信品質表示生成部１６３０は、アンテナバーの数を決定するために、ＲＳＳＩレベルに干渉指標および混雑度を加味した値を算出する。この算出は、例えば、次の式２４を用いて行う。なお、次の式２４では、セル混雑度ｋｃｏｎｇ（ｃ）から算出する場合の他に、信号混雑度ｋｃｏｎｇ（ｗ）から算出する場合も示す。
【数２２】
0006293400.tif 000023
ここで、ＲＳＳＩは、ＲＳＳＩレベル検出部１６２０が検出したＲＳＳＩレベルを真数に変換した値である。また、ＲＳＳＩｍｏｄｉｆｙは、干渉指標および混雑度を加味したＲＳＳＩレベルである。
【０３０２】
上述の式２４を用いれば、ＲＳＳＩレベルに干渉指標および混雑度を加味させることができる。上述の式２４により算出されるＲＳＳＩレベルＲＳＳＩｍｏｄｉｆｙは、全受信電力（ＲＳＳＩレベル）のうちの、サービングセルからの無線信号に含まれるパイロット信号のレベルとほぼ等価になる。すなわち、サービングセルが混雑している状態（セル混雑度の値が大きい状態）では、各ユーザへのデータの無線信号が多重される分、ＲＳＳＩレベルが大きくなっているが、混雑度を加味することにより、この多重された分のレベルが減少する。
【０３０３】
また、干渉が強い状態では、周辺セルからの無線信号が多重される分、ＲＳＳＩレベルが大きくなっているが、干渉指標を加味することにより、この多重された分のレベルが減少する。
【０３０４】
すなわち、式２４により算出されたＲＳＳＩレベルＲＳＳＩｍｏｄｉｆｙに基づいてアンテナバーを表示することにより、サービングセルが混んでいる場合や、干渉が高い場合には、アンテナバーの数が少なくなる。これにより、通信品質が良いとユーザが誤解する機会を減少させることができる。
【０３０５】
なお、ここまでは、干渉指標および混雑度を考慮する例について説明したが、干渉指標のみを考慮する場合（本技術の第１乃至第３の実施の形態に対応）には、次の式２５を用いてＲＳＳＩレベルＲＳＳＩｍｏｄｉｆｙを算出する。これにより、通信品質が良いとユーザが誤解する機会を減少させることができる。
【数２３】
0006293400.tif 000024
【０３０６】
このように、本技術の第９の実施の形態によれば、干渉指標や混雑度を考慮してアンテナバーの数を算出することにより、通信品質を適切に表示することができる。
【０３０７】
＜１１．本技術の第１０の実施の形態＞
本技術の第１の実施の形態では、干渉指標は位置ごとに一定の値であり、大きく変化しないことを想定した。しかしながら、ユーザの分布に応じてアンテナの方向を変える基地局（指向性が変化する基地局）が設けられている場合には、指向性の変化に応じて干渉指標も変化する。
【０３０８】
そこで、指向性が変化する基地局に対応できるように干渉指標を干渉指標情報保持部３２０に保持させる例について、本技術の第１０の実施の形態として、図２６を参照して説明する。
【０３０９】
［干渉指標情報保持部に保持される位置ごとの干渉指標の例］
図２６は、本技術の第１０の実施の形態における干渉指標情報保持部３２０に保持される位置ごとの干渉指標の一例を簡略化して示す図である。
【０３１０】
図２６には、干渉指標情報保持部３２０に保持される位置ごとの干渉指標を簡略化して示す表（表３２６）が示されている。なお、表３２６は、図５において示した表３２１の変形例であるため、ここでは差異について説明する。
【０３１１】
表３２６に示すように、本技術の第１０の実施の形態では、干渉指標（列３２７）が時間帯ごとに保持される。
【０３１２】
ここで、干渉指標を時間帯ごとに保持する理由について説明する。ユーザの分布は、通勤時間には多く、夜の時間には少ないというように、おおよその時間で日々同じであると仮定することができる。また、おおよその時間で日々同じであるユーザの分布に応じて指向性を変化させる基地局は、指向性がおおよその時間で日々同じであると仮定することができる。すなわち、干渉指標を時間帯ごとに保持することにより、基地局の指向性の変化に対応することができる。なお、曜日ごと、あるいは、平日、休日、祝日ごとにさらに分類することが可能なことは言うまでもない。
【０３１３】
このように、本技術の第１０の実施の形態によれば、指向性が変化する基地局が設けられている場合においても、無線通信における通信状態を適切に取得することができる。
【０３１４】
このように、本技術の実施の形態によれば、無線通信における適切な通信状態を把握することができる。特に、現在位置以外の位置における通信状態を把握することができるため、今後の通信状態をユーザに適切に通知することができる。
【０３１５】
なお、本技術の実施の形態では、上述の式１を用いて干渉指標を算出する例について説明したが、これに限定されるものではない。例えば、次の式２６を用いて算出することもできる。
【数２４】
0006293400.tif 000025
【０３１６】
また、この場合において、セル混雑度ｋｃｏｎｇ（ｃ）は、次の式２７により算出される。なお、次の式２７は、式１で干渉指標を算出した場合の式３に対応する。
【数２５】
0006293400.tif 000026
【０３１７】
すなわち、上述の式２６に示すように、干渉指標ｋｉｆは、サービングセルおよび周辺セルのパイロット信号レベルの総和と、サービングセルのパイロット信号レベルとの比に基づいても算出することができる。上述の式２６を用いて干渉指標ｋｉｆを算出すると、干渉が全く存在しない環境では、値が「１」になる。干渉が増加し、干渉の度合い（レベル）と、サービングセルのパイロット信号レベルとが等しくなると値が「０．５」になり、干渉の度合いがさらに大きくなると、値が「０」に近づく。
【０３１８】
また、周辺セルのパイロット信号レベルの総和と、サービングセルのパイロット信号レベルとが同じである場合には、上述の式２７から求めたセル混雑度と、上述の式３から求めたセル混雑度とは同じ値になる。
【０３１９】
なお、上述の実施の形態は本技術を具現化するための一例を示したものであり、実施の形態における事項と、特許請求の範囲における発明特定事項とはそれぞれ対応関係を有する。同様に、特許請求の範囲における発明特定事項と、これと同一名称を付した本技術の実施の形態における事項とはそれぞれ対応関係を有する。ただし、本技術は実施の形態に限定されるものではなく、その要旨を逸脱しない範囲において実施の形態に種々の変形を施すことにより具現化することができる。
【０３２０】
また、上述の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。この記録媒体として、例えば、ハードディスク、ＣＤ（Compact Disc）、ＭＤ（MiniDisc）、ＤＶＤ（Digital Versatile Disk）、メモリカード、ブルーレイディスク（Blu-ray Disc（登録商標））等を用いることができる。
【０３２１】
なお、本技術は以下のような構成もとることができる。
（１）  無線通信装置と当該無線通信装置の接続対象となる基地局との無線通信における干渉の度合いを示す干渉指標と、前記干渉指標に係る位置に関する位置情報とを取得する取得部と、
前記無線通信装置の通信状態を検出するための対象エリアに係る干渉指標を前記取得された位置情報に基づいて特定し、前記通信状態を通知するための通信状態情報を前記特定された干渉指標に基づいて生成する生成部と
を具備する情報処理装置。
（２）  前記取得部は、前記対象エリアの位置または当該対象エリアに近接する位置に係る位置情報と関連付けられている干渉指標を取得し、
前記生成部は、前記取得された干渉指標に基づいて前記対象エリアに係る干渉指標を特定する
前記（１）に記載の情報処理装置。
（３）  前記情報処理装置は、無線通信装置であり、
前記接続対象となる基地局が発信するパイロット信号のレベルと、前記無線通信装置が信号を受信できる他の基地局が発信するパイロット信号のレベルの総和との比に基づいて前記干渉指標を生成する干渉指標生成部と、
前記生成された干渉指標を、当該干渉指標の生成に用いた前記パイロット信号の検出位置を示す位置情報に関連付けて保持する保持部とをさらに具備し、
前記取得部は、前記対象エリアの位置または当該対象エリアに近接する位置に係る位置情報と関連付けられている干渉指標を前記保持部から取得する
前記（２）に記載の情報処理装置。
（４）  前記取得部は、前記干渉指標を保持するサーバから前記対象エリアの位置または当該対象エリアに近接する位置に係る位置情報と関連付けられている干渉指標を取得する前記（１）または（２）のいずれかに記載の情報処理装置。
（５）  前記無線通信装置が存在した位置の履歴に基づいて当該無線通信装置の移動経路を予測する移動経路予測部をさらに具備し、
前記生成部は、前記予測された移動経路を前記対象エリアとして前記通信状態情報を生成する
前記（１）から（４）のいずれかに記載の情報処理装置。
（６）  前記無線通信装置が受信する受信信号のうちの前記無線通信装置の通信速度の増減に関わる信号の度合いを示す信号混雑度を生成する信号混雑度生成部と、
前記生成された信号混雑度と当該信号混雑度が生成された位置における干渉指標とに基づいて、前記接続対象となる基地局の混雑度を示す基地局混雑度を生成する基地局混雑度生成部とをさらに具備し、
前記生成部は、前記生成された基地局混雑度と前記特定した対象エリアに係る干渉指標とに基づいて当該対象エリアにおける信号混雑度を生成し、当該生成された対象エリアにおける信号混雑度から当該対象エリアにおける前記通信速度を予測して、当該予測された通信速度を前記通信状態情報として生成する
前記（１）から（５）のいずれかに記載の情報処理装置。
（７）  前記信号混雑度生成部は、前記受信信号と前記接続対象となる基地局に割り振られた符号との相関出力と、前記受信信号と前記無線通信装置が信号を受信できる他の基地局に割り振られた符号との相関出力のうちの最も相関が小さい基地局に係る相関出力との比に基づいて前記信号混雑度を生成し、
前記基地局混雑度生成部は、前記生成された信号混雑度と当該信号混雑度が生成された位置における干渉指標との関係に基づいて前記基地局混雑度を生成する
請求項６記載の情報処理装置。
（８）  前記情報処理装置は、前記干渉指標を保持するサーバであり、
前記取得部は、前記無線通信装置から供給された位置に基づいて検出された前記対象エリアの位置または当該対象エリアに近接する位置に係る位置情報と関連付けられている前記干渉指標を取得し、
前記生成部は、前記取得された干渉指標に基づいて前記対象エリアの干渉指標を特定する
前記（１）または（２）に記載の情報処理装置。
（９）  前記無線通信装置から供給された位置を時系列で保持する位置情報保持部と、
前記保持された位置に基づいて前記無線通信装置の移動経路を予測する移動経路予測部とをさらに具備し、
前記生成部は、前記予測された移動経路を前記対象エリアとして前記通信状態情報を生成する
前記（８）に記載の情報処理装置。
（１０）  基地局の混雑度を示す基地局混雑度を保持する基地局混雑度保持部をさらに具備し、
前記生成部は、前記予測された移動経路における接続対象の基地局の基地局混雑度を前記基地局混雑度生成部から取得して、当該取得された基地局混雑度と前記対象エリアの干渉指標とに基づいて通信速度を予測し、当該予測された通信速度を前記通信状態情報として生成する
前記（９）に記載の情報処理装置。
（１１）  前記取得部は、前記検出された前記対象エリアの位置または当該対象エリアに近接する位置に係る位置情報と関連付けられている前記干渉指標を複数の通信網ごとに取得し、
前記生成部は、前記取得された干渉指標に基づいて前記対象エリアにおける複数の通信網のそれぞれの通信状態を検出し、当該複数の通信網のうちの特定条件を満たす通信網を示す情報を前記通信状態情報として生成する
前記（８）に記載の情報処理装置。
（１２）  前記生成部は、前記複数の通信網のうちの予測された通信速度が最も速い通信網を前記特定条件を満たす通信網として前記通信状態情報を生成する前記（１１）に記載の情報処理装置。
（１３）  接続対象となる基地局との無線通信における干渉の度合いを示す干渉指標と、前記無線通信装置が受信する信号の強度を示す受信信号強度とに基づいて通信品質を検出する検出部と、
前記検出された通信品質をユーザに通知するための表示画像を生成する表示画像生成部と
を具備する無線通信装置。
（１４）  前記表示画像生成部は、前記通信品質を特定標識の増減により表す前記表示画像を生成する前記（１３）に記載の無線通信装置。
（１５）  受信する信号のうちの前記無線通信装置の通信速度の増減に関わる信号の度合いを示す信号混雑度を生成する信号混雑度生成部と、
前記生成された信号混雑度と、当該信号混雑度が生成された位置における前記干渉指標とに基づいて、前記接続対象となる基地局の混雑度を示す基地局混雑度を生成する基地局混雑度生成部とをさらに具備し、
前記検出部は、前記生成された基地局混雑度と、前記干渉指標と、前記受信信号強度とに基づいて前記通信品質を検出する
前記（１３）に記載の無線通信装置。
（１６）  当該無線通信装置の接続対象となる基地局との無線通信における干渉の度合いを示す干渉指標と、前記干渉指標に係る位置に関する位置情報とを複数の通信網ごとに取得して、当該無線通信装置の通信状態を検出するための対象エリアにおける複数の通信網のそれぞれの通信状態を前記取得した干渉指標および位置情報に基づいて検出し、当該複数の通信網のうちの特定条件を満たす通信網を示す情報を通信状態情報として生成する情報処理装置から送信された前記通信状態情報を取得する取得部と、
前記取得された通信状態情報に基づいて前記特定条件を満たす通信網と接続するための制御を行う制御部と
を具備する無線通信装置。
（１７）  無線通信装置と当該無線通信装置の接続対象となる基地局との無線通信における干渉の度合いを示す干渉指標と、前記干渉指標に係る位置に関する位置情報とを供給する供給部を備える情報処理装置と、
無線通信装置の通信状態を検出するための対象エリアに係る干渉指標を前記供給された位置情報に基づいて特定し、前記通信状態を通知するための通信状態情報を前記特定された干渉指標に基づいて生成する生成部を備える無線通信装置と
を具備する通信システム。
（１８）  無線通信装置と当該無線通信装置の接続対象となる基地局との無線通信における干渉の度合いを示す干渉指標と、前記干渉指標に係る位置に関する位置情報とを取得する取得手順と、
前記無線通信装置の通信状態を検出するための対象エリアに係る干渉指標を前記取得された位置情報に基づいて特定し、前記通信状態を通知するための通信状態情報を前記特定された干渉指標に基づいて生成する生成手順と
を具備する通信状態検出方法。
【符号の説明】
【０３２２】
１１１、１４１  サービングセル
１１２、１１３、１４２  周辺セル
１２０、１５０、２００、５１０、５１１、７１０、７１１  無線通信装置
１６０  基地局
１７０  公衆回線網
２１０、６１０  通信部
２２０  パイロット信号検出部
２３０  周辺セル情報取得部
２４０  周辺セル情報保持部
２５０  パイロット信号レベル保持部
２６０  サービングセル決定部
２７０  サービングセル情報保持部
２８０  干渉指標生成部
３１０  位置情報取得部
３２０、６２０  干渉指標情報保持部
３３０、６３０  位置情報履歴保持部
３４０、６４０  移動経路予測部
３５０、５５０、６５０  干渉指標予測部
３６０  表示画像生成部
３７０  表示部
５００、５０１、７０１  通信システム
５２０  送信干渉指標情報生成部
５３０  干渉指標情報受信部
５６０  送信データ生成部
５７０  予測情報取得部
６００、６０１、８００  サーバ
６６０  予測情報生成部
７２０  信号混雑度生成部
７３０  サービングセル混雑度生成部
７４０、８７０  通信速度予測部
７６０  送信データ生成部
８２０  干渉指標情報保持部
８５０  干渉指標予測部
８６０  混雑度情報保持部
【図１】
0006293400.tif 000027
【図２】
0006293400.tif 000028
【図３】
0006293400.tif 000029
【図４】
0006293400.tif 000030
【図５】
0006293400.tif 000031
【図６】
0006293400.tif 000032
【図７】
0006293400.tif 000033
【図８】
0006293400.tif 000034
【図９】
0006293400.tif 000035
【図１０】
0006293400.tif 000036
【図１１】
0006293400.tif 000037
【図１２】
0006293400.tif 000038
【図１３】
0006293400.tif 000039
【図１４】
0006293400.tif 000040
【図１５】
0006293400.tif 000041
【図１６】
0006293400.tif 000042
【図１７】
0006293400.tif 000043
【図１８】
0006293400.tif 000044
【図１９】
0006293400.tif 000045
【図２０】
0006293400.tif 000046
【図２１】
0006293400.tif 000047
【図２２】
0006293400.tif 000048
【図２３】
0006293400.tif 000049
【図２４】
0006293400.tif 000050
【図２５】
0006293400.tif 000051
【図２６】
0006293400.tif 000052